(57)【特許請求の範囲】
【請求項１】
記録情報を記録するための第１記録トラックが形成されたディスク状の第１記録層と、
該第１記録層を介して、前記記録情報を前記第１記録層の前記第１記録トラックと反対の記録方向で記録するための第２記録トラックが形成されたディスク状の第２記録層と
を少なくとも備えており、
前記第２記録層において前記記録情報が記録されるデータエリアの最内周位置が、前記第１記録層において前記記録情報が記録されるデータエリアの開始位置から第１オフセット量だけ外周側に位置しており、
前記第１記録トラックにおいてプリフォーマットされた第１アドレスによって示される位置より、前記第１アドレスを所定の演算で変換させた前記第２記録トラックにおける第２アドレスによって示される位置が、少なくとも予め設定された第２オフセット量だけ内周側に位置していることを特徴とする情報記録媒体。
【請求項２】
前記第１オフセット量及び第２オフセット量の夫々は、前記第１記録層と前記第２記録層との偏心量以上に設定されていることを特徴とする請求項１に記載の情報記録媒体。
【請求項３】
前記所定の演算は、ビット反転であることを特徴とする請求項１に記載の情報記録媒体。
【発明の詳細な説明】
【技術分野】
【０００１】
本発明は、例えばＤＶＤ、ＣＤ（Compact Disc）等の情報記録媒体、並びにそのような情報記録媒体に情報を記録するＤＶＤレコーダ等の情報記録装置及び方法の技術分野に関する。
【背景技術】
【０００２】
例えば、ＣＤ−ＲＯＭ（Compact Disc−Read Only Memory）、ＣＤ−Ｒ（Compact Disc−Recordable）、ＤＶＤ−ＲＯＭ等の情報記録媒体では、特許文献１、２等に記載されているように、同一基板上に複数の記録層が積層、または貼り合わされてなる多層型若しくはデュアルレイヤ型の光ディスク等の情報記録媒体も開発されている。そして、このようなデュアルレイヤ型、即ち、２層型の光ディスクに記録を行う、ＤＶＤレコーダ等の情報記録装置では、レーザ光の照射側から見て最も手前側（即ち、光ピックアップに近い側）に位置する記録層（本願では適宜「Ｌ０層」と称する）に対して記録用のレーザ光を集光することで、Ｌ０層に対して情報を加熱などによる非可逆変化記録方式や書換え可能方式で記録し、Ｌ０層等を介して、レーザ光の照射側から見てＬ０層の奥側（即ち、光ピックアップから遠い側）に位置する記録層（本願では適宜「Ｌ１層」と称する）に対して該レーザ光を集光することで、Ｌ１層に対して情報を加熱などによる非可逆変化記録方式や書換え可能方式で記録することになる。【０００３】
【特許文献１】特開２０００−３１１３４６号公報
【特許文献２】特開２００１−２３２３７号公報
【発明の開示】
【発明が解決しようとする課題】
【０００４】
このような２層型の光ディスクにおいては、Ｌ１層にデータを記録する場合には、Ｌ０層を介してレーザ光を照射する必要がある。この場合、レーザ光を介するＬ０層には記録データが記録されていることもあるし、或いは記録データが記録されていないことがある。このようにＬ０層の記録状態は必ずしも統一されておらず、それによってＬ１層に照射されるレーザ光の状態が変化してしまう。このため、先に、Ｌ０層を記録済み状態にすることによって、Ｌ１層に適切に記録データを記録するという方法も本願発明者等により考えられている。【０００５】
しかしながら、このような２層型の情報記録媒体を製造する際には、Ｌ０層とＬ１層とが別々のスタンパによって形成され、最後に夫々の記録層が貼り合わせられる。よって、Ｌ０層及びＬ１層において、貼り合わせ誤差によって偏心が生じてしまう可能性がある。或いは、Ｌ０層とＬ１層とが別々のスタンパによって形成されているため、夫々の記録層におけるトラックピッチに偏差が生じてしまう可能性がある。これらの原因によって、Ｌ０層の一の記録領域に、例えばプリフォーマットアドレス等の位置情報によって対応されるＬ１層の他の記録領域の位置にズレが生じてしまい、レーザ光が、Ｌ０層の記録済み状態である一の記録領域を介して、Ｌ１層の他の記録領域に必ず照射されるとは限らないという技術的な問題点を有している。【０００６】
本発明は、例えば上述した従来の問題点に鑑みなされたものであり、例えば複数の記録層を有する情報記録媒体であっても、適切に情報の記録を行うことを可能とならしめる情報記録媒体、並びに、情報記録装置及び方法を提供することを課題とする。
【課題を解決するための手段】
【０００７】
（情報記録媒体）
以下、本発明の情報記録媒体について説明する。【０００８】
本発明の第１情報記録媒体は上記課題を解決するために、記録情報を記録するための第１記録トラックが形成されたディスク状の第１記録層と、該第１記録層を介して、前記記録情報を前記第１記録層の前記第１記録トラックと同一の記録方向で記録するための第２記録トラックが形成されたディスク状の第２記録層とを少なくとも備えており、前記第２記録トラックにおけるデータエリアの開始位置を示すためのプリフォーマットアドレスの基準となる第２場所（Ｌ１層におけるアドレスが３００００ｈの円周の半径方向の位置）が、前記第１記録トラックにおけるデータエリアの開始位置を示すための前記プリフォーマットアドレスの基準となる第１場所（Ｌ０層におけるアドレスが３００００ｈの円周の半径方向の位置）より、少なくとも予め設定された第１オフセット量だけ外周側に位置している。【０００９】
本発明の第１情報記録媒体によれば、例えば、ディスク状の基板の一方の面上に、第１及び第２記録層が形成されており、二層型或いは多層型の例えばＤＶＤ或いは光ディスク等である。第１記録層には、グルーブ（案内溝）から構成された第１記録トラックに沿って、例えば音声、映像情報或いはコンテンツ情報等の記録情報が記録可能とされている。第２記録層には、グルーブ（案内溝）から構成された第２記録トラックに沿って、例えば音声、映像情報或いはコンテンツ情報等の記録情報が記録可能とされている。このように構成されているので、記録又は再生用レーザ光は、基板、第１記録層及び第２記録層の順番に照射される。【００１０】
より具体的には、特に、第１記録トラックは、前述した基板の内周側及び外周側のうち一方側から他方側へと向かい、第２記録トラックも、第１記録トラックと同様に、一方側から他方側へと向かうように構成してもよい。即ち、当該二層型或いは多層型の情報記録媒体では、記録トラックが二つの記録層の間で同一方向を向いている”パラレル方式”による連続記録が可能とされる。この”パラレル方式”では、第１記録層における記録又は再生が終了されると、第２記録層における記録又は再生が開始される時に、例えば、光ディスクの最外周にある光ピックアップが再度、最内周へ向かって移動する必要があるため、後述される”オポジット方式”と比較して、第１記録層から第２記録層への切り替え時間がその分だけ掛かってしまうこともある。【００１１】
特に、本発明の第１情報記録媒体によれば、第２記録層の内周側に位置する、例えば、セクタ番号等のプリフォーマットアドレスが“３００００ｈ”のデータエリアの開始位置を示す第２場所が、第１記録層の内周側に位置する、例えば、セクタ番号が“３００００ｈ”のデータエリアの開始位置を示す第１場所から、少なくとも第１オフセット量だけ外周側に位置するように設計されている。ここに、「第１オフセット量」とは、第２記録層の記録領域の最内周位置を第１記録層の記録領域の最内周位置より外周側に位置させるために定められた半径方向の長さに相当する基準値である。具体的には、例えば、第１記録層及び第２記録層における貼り合わせ誤差によって生じる偏心の最大値以上の値とされる。尚、第１オフセット量は、光ディスクの半径方向の長さ（μｍ）として示され、セクタ数やＥＣＣブロック数に換算可能としてもよいし、アドレスの所定単位であるセクタ数やＥＣＣブロック数で直接的に示されてもよい。【００１２】
その結果、記録データが記録済み状態の第１記録層を介して第２記録層に記録データを記録する場合における最適な記録レーザパワーによって、第２記録層の内周側に位置する記録領域の開始位置付近において、適切な記録を行うことができる。特に、係る第２記録層の内周側に位置する記録領域の開始位置付近において、記録レーザパワーが切り替えられる必要もなく、セクタ番号等のプリフォーマットアドレスに応じて記録データを記録していけばよいため、記録手順自体も簡略化されるという利点も有する。加えて、この記録された記録データを再生する場合にも、良好な再生特性（例えば、アシンメトリ値、ジッタ値、変調度や再生エラーレート等）を得ることができる。【００１３】
本発明の第２情報記録媒体は上記課題を解決するために、記録情報を記録するための第１記録トラックが形成されたディスク状の第１記録層と、該第１記録層を介して、前記記録情報を前記第１記録層の前記第１記録トラックと反対の記録方向で記録するための第２記録トラックが形成されたディスク状の第２記録層とを少なくとも備えており、前記第２記録トラックにおけるデータエリアの開始位置を示すためのプリフォーマットアドレスの基準となる第２場所（Ｌ１層におけるアドレスがＥ５００００ｈの円周の半径方向の位置）が、前記第１記録トラックにおけるデータエリアの終了位置を示すためのプリフォーマットアドレスの基準となる第１場所（Ｌ０層におけるアドレスが、例えば１ＡＦＦＦＦｈの円周の半径方向の位置）より、少なくとも予め設定された第１オフセット量だけ内周側に位置している。【００１４】
本発明の第２情報記録媒体によれば、第１記録層及び第２記録層の基本的な構成は、前述した第１情報記録媒体と概ね同様である。【００１５】
より具体的には、特に、第１記録トラックは、例えば、ディスク状の基板の内周側及び外周側のうち一方側から他方側へと向かい、これとは逆に、第２記録トラックは、他方側から一方側へと向かうように構成してもよい。即ち、当該二層型或いは多層型の情報記録媒体では、記録トラックが二つの記録層の間で逆方向を向いている”オポジット方式”による連続記録が可能とされる。従って、第１記録層の終了端、即ち、外周側端部等の他方側端部に続いて第２記録層の開始端、即ち、外周側端部等の他方側端部へと、記録を連続的に行うようにすれば、情報に係る記録処理或いは再生処理の対象としての記録層を切り替える際に、基板面内におけるレーザ光の照射位置を半径方向に殆ど又は全く変えないで済むので、迅速な層間ジャンプ（即ち、層間切り替え動作）が可能となる。これは、例えば映画などの連続した記録情報を記録する際に、記録層の切り替えのために特別なバッファ機能を必要とすることなく、途切れのない再生を行うことが容易となるという意味で、実践上大変便利である。【００１６】
特に、本発明の第２情報記録媒体によれば、第２記録層の外周側に位置する、例えば、セクタ番号等のプリフォーマットアドレスが“Ｅ５００００ｈ”のデータエリアの開始位置を示す第２場所が、第１記録層の外周側に位置する、例えば、セクタ番号が“１ＡＦＦＦＦｈ”のデータエリアの終了位置を示す第１場所から、少なくとも第１オフセット量だけ内周側に位置するように設計されている。【００１７】
その結果、記録データが記録済み状態の第１記録層を介して第２記録層に記録データを記録する場合における最適な記録レーザパワーによって、第２記録層の外周側に位置する記録領域の開始位置付近において、適切な記録を行うことができる。前述した第１情報記録媒体と概ね同様に、係る第２記録層の外周側に位置する記録領域の開始位置付近において、記録レーザパワーが切り替えられる必要もなく、セクタ番号等のプリフォーマットアドレスに応じて記録データを記録していけばよいため、記録手順自体も簡略化されるという利点も有する。加えて、この記録された記録データを再生する場合にも、良好な再生特性を得ることができる。【００１８】
本発明の第１及び第２情報記録媒体の一態様では、前記第１オフセット量は、前記第1記録層と前記第２記録層との偏心量以上に設定されている。【００１９】
この態様によれば、記録データが記録済み状態の第１記録層を介して第２記録層に記録データを記録する場合における最適な記録レーザパワーによって、第２記録層の内周側、又は、外周側に位置する記録領域の開始位置付近において、第１及び第２記録層の偏心の影響を殆ど又は完全に受けることなく適切な記録を行うことができる。より具体的には、例えば、第１記録層の偏心の最大値が４０μmであり、第２記録層の偏心の最大値が７０μmであった場合、第１オフセット量は、第１記録層及び第２記録層の偏心の最大値の和、即ち、１１０μm（＝４０＋７０）である。加えて、第１オフセット量の上限値を２００μmとすることにより、パラレル方式の２層ＤＶＤ−ＲＯＭの規格に準拠することもできる。【００２０】
本発明の第１及び第２情報記録媒体の他の態様では、前記第１記録トラックにおけるトラックピッチに対する前記第２記録トラックにおけるトラックピッチの比が、１未満の所定値となるように、前記第１記録トラック及び前記第２記録トラックは構成されている。【００２１】
この態様によれば、第１記録トラックにおけるトラックピッチに対する第２記録トラックにおけるトラックピッチの比が、例えば、望ましくは、１未満の所定値となっているので、例えば、第２記録層の記録可能な外周側端部が、第１記録層の記録可能な外周側端部より所定量だけ内周側に位置するように調整することが可能である。ここに、「トラックピッチ」とは、ディスク状の情報記録媒体の第１又は第２記録トラックの半径方向における間隔（尚、単位は、例えば、（μｍ／トラック））である。また、ここに、「所定量」とは、第２記録層の記録領域の最外周位置を第１記録層の記録領域の最外周位置より内周側に位置させるために定められた半径方向の長さに相当する基準値である。具体的には、例えば、第１記録層及び第２記録層における貼り合わせ誤差によって生じる偏心の最大値以上の値とされる。【００２２】
特に、この態様によれば、第２記録層の記録可能な外周側端部が、前記第１記録層の記録可能な外周側端部より他の所定量（例えば、後述される第３オフセット量）だけ外周側又は内周側に位置するように構成することも可能である。【００２３】
従って、後述される情報記録装置によって、第２記録層の記録可能な外周側端部が、第１記録層の記録可能な外周側端部より少なくとも所定量だけ内周側に位置するように、一連の記録動作が行なわれる際の第２オフセット量を的確且つ迅速に決定することが可能となる。ここに、「第２オフセット量」とは、第２記録層の記録領域の最外周位置を第１記録層の記録領域の最外周位置より内周側に位置させるために定められた半径方向の長さに相当する基準値であり、後述される情報記録装置によって算出される。【００２４】
その結果、第１記録層及び第２記録層に交互に記録データの記録が行われる場合、第１記録層において記録データが記録された後で、第２記録層の記録領域の開始位置から記録データが記録される際に、記録用のレーザ光は、第１記録層及び第２記録層の偏心に関係なく、記録済み状態の第１記録層を透過する。即ち、第２記録層の記録に際して、未記録状態の第１記録層を透過することは殆ど又は完全にない。【００２５】
又は、本発明の第１及び第２情報記録媒体の他の態様では、前記第１記録トラックにおけるトラックピッチに対する前記第２記録トラックにおけるトラックピッチの差が、負の所定値となるように、前記第１記録トラック及び前記第２記録トラックは構成されている。【００２６】
この態様によれば、第１記録トラックにおけるトラックピッチに対する第２記録トラックにおけるトラックピッチの差が、例えば、望ましくは、負の所定値となっているので、例えば、第２記録層の記録可能な外周側端部が、第１記録層の記録可能な外周側端部より所定量だけ内周側に位置するように調整することが可能である。【００２７】
その結果、前述したトラックピッチの比を調整した場合の効果と同様にして、第２記録層の記録に際して、未記録状態の第１記録層を透過することは殆ど又は完全にない。【００２８】
この態様では、前記第２記録層の記録可能な外周側端部が、前記第１記録層の記録可能な外周側端部より少なくとも前記第１オフセット量だけ内周側に位置するように、前記比、又は前記差が設定されているように構成されていてもよい。【００２９】
このように構成すれば、例えば、第２記録層の記録可能な外周側端部が、第１記録層の記録可能な外周側端部より少なくとも第１オフセット量だけ内周側に位置することができる。【００３０】
以上より、後述される情報記録装置による第２オフセット量の算出を省略することができる。後述される情報記録装置は、セクタ番号等のプリフォーマットアドレスに従って記録動作を行えばよい。よって、トラックピッチの比、又は差の設定によって、第２記録層の記録に際して、レーザ光が未記録状態の第１記録層を透過することが殆ど又は完全にないことをより簡便に実現することができる。【００３１】
加えて、この態様では、第２記録層の記録可能な外周側端部が、第１記録層の記録可能な外周側端部より少なくとも第１オフセット量だけ内周側に位置するように、第１記録トラックにおけるプリフォーマットアドレスの体系と第２記録トラックにおけるプリフォーマットアドレスの体系のうち少なくとも一方が設定されているように構成してもよい。【００３２】
その結果、例えば、第２記録層の記録可能な外周側端部が、第１記録層の記録可能な外周側端部より少なくとも第２オフセット量だけ内周側に位置することができる。更に、後述される情報記録装置による第２オフセット量の算出を省略することができる。情報記録装置は、セクタ番号等のプリフォーマットアドレスに従って記録動作を行えばよい。よって、プリフォーマットアドレスの設定によって、より簡便に、第２記録層の記録に際して、レーザ光が未記録状態の第１記録層を透過することは殆ど又は完全にないことを実現できる。【００３３】
更に、この態様では、前記比又は差に関する情報が記録される第１管理エリアを更に備えているように構成されていてもよい。【００３４】
このように構成すれば、後述される情報記録装置によって、記録領域内に設けられた第１管理エリアから、より簡便且つ迅速に比又は差に関する情報を取得可能である。【００３５】
本発明の第１及び第２情報記録媒体の他の態様では、前記第１オフセット量に関する情報が記録される第２管理エリアを更に備えている。【００３６】
この態様によれば、後述される情報記録装置によって、記録領域内に設けられた第２管理エリアから第１オフセット量が取得され、該第１オフセット量に対応した第２オフセット量を迅速に決定することが可能である。【００３７】
（情報記録装置）
以下、本発明の情報記録装置について説明する。【００３８】
本発明の第１情報記録装置は上記課題を解決するために、上述した本発明の第１情報記録媒体に対して、前記記録情報のうち第１部分を、前記第１記録トラックに沿って記録した後に、前記記録情報のうち第２部分を、前記第１記録トラックに対して同一の記録方向である前記第２記録トラックに沿って記録するための情報記録装置であって、前記第1部分及び前記第２部分を夫々前記第1記録層及び前記第２記録層に書込可能な書込手段と、前記第１オフセット量に関する情報を取得する取得手段と、前記取得された情報に基づいて、前記第２記録層の記録可能な外周側端部の位置を決定する第２オフセット量を算出する算出手段と、（ｉ）前記第１部分を前記第１記録層に前記第１記録トラックに沿って書き込み、（ｉｉ）前記算出された第２オフセット量によって決定された外周側端部まで、前記第２部分を前記第２記録層に前記第２記録トラックに沿って書き込むように、前記書込手段を制御する制御手段とを備える。【００３９】
本発明の第１情報記録装置によれば、先ず、例えば、ドライブディスク又はホストコンピュータのＣＰＵ（Central Processing Unit）等の算出手段は、記録動作以前に取得手段によって取得されている、前述した第１オフセット量に加えて、例えば第１記録層及び第２記録層のトラックピッチの比又は差等に関する情報に基づいて、記録情報のうち第１部分を第１記録トラックに沿って第１記録層に書き込む場合、及び、記録情報のうち第２部分を第２記録トラックに沿って書き込む場合における、前述した第２オフセット量を算出する。【００４０】
次に、例えばＣＰＵ等の制御手段の制御下で、記録情報を第１記録層及び第２記録層に書き込む光ピックアップ等の書込手段は、記録情報の第１部分を第１記録層に第１記録トラックに沿って書き込み、第２記録層において記録データが記録される記録領域の最外周位置が、第１記録層において記録データが記録された記録領域の最外周位置から、第２オフセット量だけ内周側に位置するように、記録情報の第２部分を第２記録層に第２記録トラックに沿って外周側端部まで書き込む。【００４１】
従って、第１記録層及び第２記録層に交互に記録データの記録が行われる場合、第１記録層において記録データが記録された後で、第２記録層の記録領域の内周側に位置する開始位置から記録データが記録される際に、記録用のレーザ光は、第１記録層及び第２記録層の偏心に関係なく、記録済み状態の第１記録層を透過する。即ち、第２記録層の記録に際して、未記録状態の第１記録層を透過することは殆ど又は完全にない。【００４２】
その結果、記録データが記録済み状態の第１記録層を介して第２記録層に記録データを記録する場合における最適な記録レーザパワーによって、第２記録層のいずれの記録領域にも適切な記録を行うことができる。特に、記録レーザパワーが切り替えられる必要もなく、セクタ番号等のプリフォーマットアドレスに応じて記録データを記録していけばよいため、記録手順自体も簡略化されるという利点も有する。加えて、この記録された記録データを再生する場合にも、良好な再生特性（例えば、アシンメトリ値、ジッタ値、変調度や再生エラーレート等）を得ることができる。【００４３】
尚、本発明の第１情報記録装置においても、上述した本発明の第１情報記録媒体についての各種態様と同様の態様を適宜採ることが可能である。【００４４】
本発明の第２情報記録装置は上記課題を解決するために、上述した本発明の第２情報記録媒体に対して、前記記録情報のうち第１部分を、前記第１記録トラックに沿って記録した後に、前記記録情報のうち第２部分を、前記第１記録トラックに対して反対の記録方向である前記第２記録トラックに沿って記録するための情報記録装置であって、前記第1部分及び前記第２部分を夫々前記第1記録層及び前記第２記録層に書込可能な書込手段と、前記第１オフセット量に関する情報を取得する取得手段と、前記取得された情報に基づいて、前記第２記録層の記録可能な外周側端部の位置を決定する第２オフセット量を算出する算出手段と、（ｉ）前記第１部分を前記第１記録層に前記第１記録トラックに沿って書き込み、（ｉｉ）前記算出された第２オフセット量によって決定された外周側端部から、前記第２部分を前記第２記録層に前記第２記録トラックに沿って書き込むように、前記書込手段を制御する制御手段とを備える。【００４５】
本発明の第２情報記録装置によれば、該第２情報記録装置の基本構成及び動作は、前述した第１情報記録装置と概ね同様である。即ち、先ず、例えばＣＰＵ等の算出手段は、記録動作以前に取得手段によって取得されている、前述した第１オフセット量等に関する情報に基づいて、記録情報のうち第１部分を第１記録トラックに沿って第１記録層に書き込む場合、及び、記録情報のうち第２部分を第２記録トラックに沿って書き込む場合における、前述した第２オフセット量を算出する。【００４６】
次に、例えばＣＰＵ等の制御手段の制御下で、記録情報を第１記録層及び第２記録層に書き込む光ピックアップ等の書込手段は、記録情報の第１部分を第１記録層に第１記録トラックに沿って書き込み、第２記録層において記録データが記録される記録領域の最外周位置が、第１記録層において記録データが記録された記録領域の最外周位置から、第２オフセット量だけ内周側に位置するように、記録情報の第２部分を第２記録層に第２記録トラックに沿って外周側端部から書き込む。【００４７】
従って、第１記録層及び第２記録層に交互に記録データの記録が行われる場合、第１記録層において記録データが記録された後で、第２記録層の記録領域の外周側に位置する開始位置から記録データが記録される際に、記録用のレーザ光は、第１記録層及び第２記録層の偏心に関係なく、記録済み状態の第１記録層を透過する。即ち、第２記録層の記録に際して、未記録状態の第１記録層を透過することは殆ど又は完全にない。【００４８】
その結果、前述した第１情報記録装置と同様に、記録データが記録済み状態の第１記録層を介して第２記録層に記録データを記録する場合における最適な記録レーザパワーによって、第２記録層のいずれの記録領域にも適切な記録を行うことができる。特に、記録レーザパワーが切り替えられる必要もなく、セクタ番号等のプリフォーマットアドレスに応じて記録データを記録していけばよいため、記録手順自体も簡略化されるという利点も有する。加えて、この記録された記録データを再生する場合にも、良好な再生特性を得ることができる。【００４９】
尚、本発明の第２情報記録装置においても、上述した本発明の第２情報記録媒体についての各種態様と同様の態様を適宜採ることが可能である。【００５０】
（情報記録方法）
以下、本発明の情報記録方法について説明する。【００５１】
本発明の第１情報記録方法は上記課題を解決するために、上述した本発明の第１情報記録媒体に対して、前記記録情報のうち第１部分を、前記第１記録トラックに沿って記録した後に、前記記録情報のうち第２部分を、前記第１記録トラックに対して同一の記録方向である前記第２記録トラックに沿って書込可能な書込手段を備えた情報記録装置における情報記録方法であって、前記第１オフセット量に関する情報を取得する取得工程と、前記取得された情報に基づいて、前記第２記録層の記録可能な外周側端部の位置を決定する第２オフセット量を算出する算出工程と、（ｉ）前記第１部分を前記第１記録層に前記第１記録トラックに沿って書き込み、（ｉｉ）前記算出された第２オフセット量によって決定された外周側端部まで、前記第２部分を前記第２記録層に前記第２記録トラックに沿って書き込むように、前記書込手段を制御する制御工程とを備える。【００５２】
本発明の第１情報記録方法によれば、上述した本発明の第１情報記録装置の場合と概ね同様に、制御工程の制御下で、取得工程、算出工程を経て、上述した情報記録媒体に対しては、第２記録層において記録データが記録される記録領域の最外周位置が、第１記録層において記録データが記録された記録領域の最外周位置から、第２オフセット量だけ内周側に位置するように記録が行なわれる。従って、第１記録層及び第２記録層に交互に記録データの記録が行われる場合、第１記録層において記録データが記録された後で、第２記録層の記録領域の内周側に位置する開始位置から記録データが記録される際に、記録用のレーザ光は、第１記録層及び第２記録層の偏心に関係なく、記録済み状態の第１記録層を透過する。即ち、第２記録層の記録に際して、未記録状態の第１記録層を透過することは殆ど又は完全にない。【００５３】
その結果、上述した本発明の第１情報記録装置の場合と同様に、記録データが記録済み状態の第１記録層を介して第２記録層に記録データを記録する場合における最適な記録レーザパワーによって、第２記録層のいずれの記録領域にも適切な記録を行うことができる。【００５４】
尚、本発明の第１情報記録方法においても、上述した本発明の第１情報記録装置についての各種態様と同様の態様を適宜採ることが可能である。【００５５】
本発明の第２情報記録方法は上記課題を解決するために、上述した本発明の第２情報記録媒体に対して、前記記録情報のうち第１部分を、前記第１記録トラックに沿って記録した後に、前記記録情報のうち第２部分を、前記第１記録トラックに対して反対の記録方向である前記第２記録トラックに沿って書込可能な書込手段を備えた情報記録装置における情報記録方法であって、前記第１オフセット量に関する情報を取得する取得工程と、前記取得された情報に基づいて、前記第２記録層の記録可能な外周側端部の位置を決定する第２オフセット量を算出する算出工程と、（ｉ）前記第１部分を前記第１記録層に前記第１記録トラックに沿って書き込み、（ｉｉ）前記算出された第２オフセット量によって決定された外周側端部から、前記第２部分を前記第２記録層に前記第２記録トラックに沿って書き込むように、前記書込手段を制御する制御工程とを備える。【００５６】
本発明の第２情報記録方法によれば、その記録手順は、前述した本発明の第１情報記録方法と概ね同様である。従って、第１記録層及び第２記録層に交互に記録データの記録が行われる場合、第１記録層において記録データが記録された後で、第２記録層の記録領域の外周側に位置する開始位置から記録データが記録される際に、記録用のレーザ光は、第１記録層及び第２記録層の偏心に関係なく、記録済み状態の第１記録層を透過する。即ち、第２記録層の記録に際して、未記録状態の第１記録層を透過することは殆ど又は完全にない。【００５７】
その結果、上述した本発明の第２情報記録装置の場合と同様に、記録データが記録済み状態の第１記録層を介して第２記録層に記録データを記録する場合における最適な記録レーザパワーによって、第２記録層のいずれの記録領域にも適切な記録を行うことができる。【００５８】
尚、本発明の第２情報記録方法においても、上述した本発明の第２情報記録装置ついての各種態様と同様の態様を適宜採ることが可能である。【００５９】
本発明のこのような作用及び他の利得は次に説明する実施例から明らかにされる。【００６０】
以上説明したように、本発明の第１及び第２情報記録媒体によれば、第２記録トラックにおける第２場所が、第１記録トラックにおける第１場所より、少なくとも第１オフセット量だけ外周側に位置しているので、例えば第１記録層及び第２記録層の偏心に関係なく、第２記録層の記録領域の開始位置付近において、適切な記録を行うことが可能となる。【００６１】
又、本発明の第１及び第２情報記録装置及び方法によれば、取得手段又は工程と、算出手段又は工程と、制御手段又は工程とを備えている。従って、本発明に係る情報記録媒体に対して、第１記録層及び第２記録層の偏心に関係なく、最適な記録レーザパワーによって、第２記録層のいずれの記録領域にも適切な記録を行うことができる。
【図面の簡単な説明】
【００６２】
【図１】本発明の情報記録媒体の第１実施例に係る複数の記録領域を有する光ディスクの基本構造を示した概略平面図（図１（ａ））及び、該光ディスクの概略断面図と、これに対応付けられた、その半径方向における記録領域構造の図式的概念図（図１（ｂ））である。
【図２】本発明の情報記録媒体の第１実施例に係る２層型光ディスクのデータ構造、該光ディスクの記録領域におけるＥＣＣブロックを構成するセクタ番号、並びに、該光ディスクのパラレル方式による記録又は再生方法を示した概念的グラフ図である。
【図３】本発明の情報記録媒体の第１実施例に係る２層型光ディスクのデータ構造、該光ディスクの記録領域におけるＥＣＣブロックを構成するセクタ番号、並びに、ランドプリピットアドレス、並びに、該光ディスクのパラレル方式による記録又は再生方法を示した概念的グラフ図である。
【図４】本発明の情報記録媒体の第１実施例に係る２層型光ディスクのデータ構造及び該光ディスクの記録領域におけるＥＣＣブロックを構成する物理的セクタ番号並びに該光ディスクのオポジット方式による記録又は再生方法を示した概念的グラフ図である。
【図５】本発明の情報記録媒体の第１実施例に係る２層型光ディスクのデータ構造、該光ディスクの記録領域におけるＥＣＣブロックを構成するセクタ番号、並びに、ランドプリピットアドレス、並びに、該光ディスクのオポジット方式による記録又は再生方法を示した概念的グラフ図である。
【図６】本発明の情報記録媒体の第１実施例に係る２層型光ディスクのデータ構造及びセクタ番号で示された記録領域を示したパラレル方式及びオポジット方式の下での概念図である。
【図７】本発明の情報記録媒体の第１実施例に係る２層型光ディスクのセクタ番号で示された記録領域及び該光ディスクのパラレル方式及びオポジット方式による記録手順を示した概念図である。
【図８】本発明の情報記録媒体の第１実施例に係る２層型光ディスクにおいて、パラレル方式又はオポジット方式による記録動作後の記録領域の一具体例を示した概念図である。
【図９】比較例に係る２層型光ディスクにおいて、パラレル方式又はオポジット方式による記録動作後の記録領域の一具体例を示した概念図である。
【図１０】本発明の情報記録媒体の第１実施例に係る２層型光ディスクにおいて、パラレル方式又はオポジット方式による記録動作後の記録領域の他の具体例を示した概念図である。
【図１１】比較例の一具体例に係る２層型光ディスクのデータ構造及び該光ディスクのパラレル方式による記録又は再生方法を示した概念図である。
【図１２】比較例の他の具体例に係る２層型光ディスクのデータ構造及び該光ディスクのオポジット方式による記録又は再生方法を示した概念図である。
【図１３】比較例の他の具体例に係る２層型光ディスクの貼り合わせ誤差によって偏心が生じた場合のデータ構造を示した概念図である。
【図１４】本発明の情報記録媒体の第２実施例に係る２層型光ディスクにおいて、Ｌ１層のトラックピッチが調整されている場合の記録動作後の記録領域の一具体例を示した概念図である。
【図１５】本発明の情報記録媒体の第２実施例に係る２層型光ディスクにおいて、パラレル方式又はオポジット方式による記録動作後の記録領域の一具体例を示した概念図である。
【図１６】本発明の情報記録媒体の第２実施例に係る２層型光ディスクにおいて、パラレル方式又はオポジット方式による記録動作後の記録領域の他の具体例を示した概念図である。
【図１７】第２比較例に係る２層型光ディスクにおいて、パラレル方式又はオポジット方式による記録動作後の記録領域の一具体例を示した概念図である。
【図１８】第２比較例に係る２層型光ディスクにおいて、Ｌ０層及びＬ１層のトラックピッチが制御されていない場合の記録動作後の記録領域の一具体例を示した概念図である。
【図１９】第２比較例に係る２層型光ディスクにおいて、Ｌ０層及びＬ１層のトラックピッチ、セクタ番号、並びに、Ｌ０層及びＬ１層の半径方向の差の関係を示したテーブル（図１９（ａ））及びグラフ（図１９（ｂ））である。
【図２０】第２比較例に係る２層型光ディスクにおいて、パラレル方式又はオポジット方式による記録動作後の記録領域の他の具体例を示した概念図である。
【図２１】本発明の情報記録媒体の第３実施例に係る２層型光ディスクにおいて、Ｌ０層のトラックピッチが制御されている場合の記録動作後のＬ０層のデータエリアの最外周位置を示したグラフである。
【図２２】本発明の情報記録媒体の第３実施例に係る２層型光ディスクにおいて、Ｌ１層のトラックピッチが制御されている場合の記録動作後のＬ１層のデータエリアの最外周位置を示したグラフである。
【図２３】本発明の情報記録媒体の第３実施例に係る２層型光ディスクにおいて、Ｌ０層又はＬ１層におけるトラックピッチとデータエリアの最外周位置との関係を示したグラフである。
【図２４】本発明の情報記録媒体の第４実施例に係る２層型光ディスクのデータ構造、並びにセクタ番号及びＬＰＰアドレスで示された記録領域並びに該光ディスクのパラレル方式による記録手順を示した概念図である。
【図２５】本発明の情報記録媒体の第４実施例に係る２層型光ディスクのデータ構造、並びにセクタ番号及びＬＰＰアドレスで示された記録領域並びに該光ディスクのオポジット方式による記録手順を示した概念図である。
【図２６】第３比較例の一具体例に係る２層型光ディスクのデータ構造、並びにセクタ番号及びＬＰＰアドレスで示された記録領域並びに該光ディスクのパラレル方式による記録手順を示した概念図である。
【図２７】第３比較例の他の具体例に係る２層型光ディスクのデータ構造、並びにセクタ番号及びＬＰＰアドレスで示された記録領域並びに該光ディスクのオポジット方式による記録手順を示した概念図である。
【図２８】本発明の情報記録装置に係る実施例における情報記録再生装置及び、ホストコンピュータのブロック図である。
【符号の説明】
【００６３】
１００…光ディスク、１０１−０（１０１−１）…リードインエリア、１０２−０（１０２−１）…データエリア、１０３−０（１０３−１）…リードアウトエリア、１０４−０（１０４−１）…ミドルエリア、３００…情報記録再生装置、３０６（３０８）…データ入出力制御手段、３０７…操作制御手段、３１０…操作ボタン、３１１…表示パネル、３５１…スピンドルモータ、３５２…光ピックアップ、３５３…信号記録再生手段、３５４…ＣＰＵ（ドライブ制御手段）、３５５（３６０）…メモリ、３５９…ＣＰＵ（ホスト用）、４００…ホストコンピュータ、ＬＢ…レーザ光
【発明を実施するための最良の形態】
【００６４】
以下、本発明を実施するための最良の形態について実施例毎に順に図面に基づいて説明する。【００６５】
（情報記録媒体の第１実施例）
先ず、図１から図１３を参照して、本発明の情報記録媒体の第１実施例について詳細に説明する。【００６６】
先ず図１を参照して、本発明の情報記録媒体の第１実施例に係る光ディスクの基本構造について説明する。ここに、図１（ａ）は、本発明の情報記録媒体の第１実施例に係る複数の記録領域を有する光ディスクの基本構造を示した概略平面図であり、図１（ｂ）は、該光ディスクの概略断面図と、これに対応付けられた、その半径方向における記録領域構造の図式的概念図である。尚、図１（ａ）及び図１（ｂ）はオポジットトラック方式のディスクを示している。【００６７】
図１（ａ）及び図１（ｂ）に示されるように、光ディスク１００は、例えば、ＤＶＤと同じく直径１２ｃｍ程度のディスク本体上の記録面に、センターホール１を中心として本実施例に係るリードインエリア１０１、データエリア１０２並びにリードアウトエリア１０３又はミドルエリア１０４が設けられている。そして、光ディスク１００の例えば、透明基板１０６に、記録層等が積層されている。そして、この記録層の各記録領域には、例えば、センターホール１を中心にスパイラル状或いは同心円状に、例えば、グルーブトラック及びランドトラック等のトラック１０が交互に設けられている。また、このトラック１０上には、データがＥＣＣブロック１１という単位で分割されて記録される。ＥＣＣブロック１１は、記録情報がエラー訂正可能なデータ管理単位である。【００６８】
尚、本発明は、このような三つのエリアを有する光ディスクには特に限定されない。例えば、リードインエリア１０１、リードアウトエリア１０３又はミドルエリア１０４が存在せずとも、以下に説明するデータ構造等の構築は可能である。また、後述するように、リードインエリア１０１、リードアウト１０３又はミドルエリア１０４は更に細分化された構成であってもよい。【００６９】
特に、本実施例に係る光ディスク１００は、図１（ｂ）に示されるように、例えば、透明基板１０６に、後述される本発明に係る第１及び第２記録層の一例を構成するＬ０層及びＬ１層が積層された構造をしている。このような二層型の光ディスク１００の記録再生時には、図１（ｂ）中、下側から上側に向かって照射されるレーザ光ＬＢの集光位置をいずれの記録層に合わせるかに応じて、Ｌ０層における記録再生が行なわれるか又はＬ１層における記録再生が行われる。また、本実施例に係る光ディスク１００は、２層片面、即ち、デュアルレイヤに限定されるものではなく、２層両面、即ちデュアルレイヤーダブルサイドであってもよい。更に、上述の如く２層の記録層を有する光ディスクに限られることなく、３層以上の多層型の光ディスクであってもよい。【００７０】
尚、２層型光ディスクにおけるオポジット方式及びパラレル方式による記録再生手順及び各層におけるデータ構造については、後述される。【００７１】
次に、図２及び図３を参照して、本発明の情報記録媒体の第１実施例に係る２層型光ディスクのデータ構造、該光ディスクの記録領域におけるＥＣＣブロックを構成する物理的セクタ番号、該光ディスクの記録領域におけるランドプリピットアドレス、並びに、該光ディスクのパラレル方式による記録又は再生手順について説明する。ここに、物理的セクタ番号（以下適宜、「セクタ番号」と称す）とは、光ディスクの記録領域における絶対的な物理的アドレスを示した位置情報である。ランドプリピットアドレス（以下適宜、「ＬＰＰアドレス」と称す）とは、セクタ番号に対応するプリフォーマットされた位置情報である。また、図２は、本発明の情報記録媒体の第１実施例に係る２層型光ディスクのデータ構造、該光ディスクの記録領域におけるＥＣＣブロックを構成するセクタ番号、並びに、該光ディスクのパラレル方式による記録又は再生方法を示した概念的グラフ図である。図３は、本発明の情報記録媒体の第１実施例に係る２層型光ディスクのデータ構造、該光ディスクの記録領域におけるＥＣＣブロックを構成するセクタ番号、並びに、ランドプリピットアドレス、並びに、該光ディスクのパラレル方式による記録又は再生方法を示した概念的グラフ図である。尚、図２及び図３中の縦軸は、１６進数で表現されたセクタ番号に加えてランドプリピットアドレスを示し、横軸は、光ディスクの半径方向の相対的な位置を示す。【００７２】
図２に示されるように、本発明の情報記録媒体の第１実施例に係る２層型光ディスク１００は、図示しない透明基板に形成された２層の記録層、即ち、Ｌ０層とＬ１層とを備えて構成されている。【００７３】
具体的には、Ｌ０層には、内周側から外周側にかけて、リードインエリア１０１−０、データエリア１０２−０、及び、リードアウトエリア１０３−０が設けられている。このリードインエリア１０１−０には、ＯＰＣ（Optimum Power Control）処理のためのＰＣ（Power Calibration）エリアＰＣＡ及び記録管理情報が記録されている本発明に係る「第１及び第２管理エリア」の一例を構成するＲＭ（Recording Management）エリアＲＭＡ等が設けられている。【００７４】
他方、Ｌ１層には、内周側から外周側にかけて、リードインエリア１０１−１、データエリア１０２−１、及び、リードアウト１０３−１が設けられている。このリードインエリア１０１−１にも、図示しないＰＣＡ等が設けられていてもよい。【００７５】
以上のように２層型光ディスク１００は構成されているので、該光ディスク１００の記録又は再生の際には、後述される本発明の情報記録装置に係る情報記録再生装置の図示しない光ピックアップによって、レーザ光ＬＢは、図示しない基板の側から、即ち、図２中の下側から上側に向けて照射され、その焦点距離等が制御されると共に、光ディスク１００の半径方向における移動距離及び方向が制御される。これにより、夫々の記録層にデータが記録され、又は、記録されたデータが再生される。【００７６】
特に、本発明の情報記録媒体の第１実施例に係る２層型光ディスクの記録又は再生手順としてパラレル方式が採用されていてもよい。このパラレル方式では、Ｌ０層における記録又は再生が終了されると、Ｌ１層における記録又は再生が開始される時に、光ディスクの最外周にある光ピックアップが再度、最内周へ向かって移動する必要があるため、後述される”オポジット方式”と比較して、Ｌ０層からＬ１層への切り替え時間がその分だけ掛かってしまう。【００７７】
具体的には、先ず、Ｌ０層において、光ピックアップがリードインエリア１０１−０、データエリア１０２−０及びリードアウトエリア１０３−０を内周側から外周側へ移動するにつれて光ディスク１００の記録領域におけるセクタ番号は増加していく。より具体的には、光ピックアップが、セクタ番号が”０２ＦＦＦＦｈ”のリードインエリア１０１−０の終了位置（図２中のＡ地点を参照）、セクタ番号が”０３００００ｈ”のデータエリア１０２−０の開始位置（図２中のＢ地点を参照）、セクタ番号が”１ＡＦＦＦＦｈ”のデータエリア１０２−０の終了位置（図２中のＣ地点を参照）に順次アクセスして、緩衝の役目を果たすリードアウトエリア１０３−０へと移動されることによって、Ｌ０層における記録又は再生が行われる。他方、Ｌ１層において、具体的には、光ピックアップがリードインエリア１０１−１、データエリア１０２−１及びリードアウトエリア１０３−１を内周側から外周側へ移動するにつれて光ディスク１００の記録領域におけるセクタ番号は増加していく。より具体的には、光ピックアップが、緩衝の役目を果たすリードインエリア１０１−１、セクタ番号が”０３００００ｈ”のデータエリア１０２−１の開始位置（図２中のＢ地点を参照）、セクタ番号が”１ＡＦＦＥＦｈ”のデータエリア１０２−１の終了位置（図２中のＤ地点を参照）に順次アクセスして、リードアウトエリア１０３−１へと移動されることによって、Ｌ１層における記録又は再生が行われる。【００７８】
よって、コンテンツ情報は、例えば、Ｌ０層のデータエリア１０２−０のセクタ番号”０３００００ｈ”から”１ＡＦＦＦＦｈ”及びＬ１層のデータエリア１０２−１のセクタ番号”０３００００ｈ”から”１ＡＦＦＥＦｈ”において、光ピックアップが連続して移動されると同時に記録又は再生される。【００７９】
以上説明したセクタ番号に対して、論理ブロックアドレス（ＬＢＡ：Logical Block Address）が、１対１に割り付けられている。より具体的には、例えば、Ｌ０層におけるセクタ番号”０３００００ｈ”には”００００００”ＬＢＡが対応し、セクタ番号”１ＡＦＦＦＦｈ”には、”１７ＦＦＦＦ”ＬＢＡが対応する。他方、Ｌ１層におけるセクタ番号”０３００００ｈ”には”１８００００”ＬＢＡが対応し、セクタ番号”１ＡＦＦＥＦｈ”には、”２ＦＦＦＥＦ”ＬＢＡが対応する。【００８０】
次に、図３を参照して、本発明の情報記録媒体の第１実施例に係る２層型光ディスクのパラレル方式におけるセクタ番号とＬＰＰアドレスとの関係について説明する。【００８１】
図３に示されるように、Ｌ０層及びＬ１層のＬＰＰアドレスは、Ｌ０層及びＬ１層のセクタ番号から求めることが可能である。より具体的には、１６進数のセクタ番号”００３００００ｈ”を２進数”００００００００００１１００００００００００００００００”に変換してから、右から５ビット目から２８ビット目までをビット反転（インバート：invert）”１１１１１１１１１１００１１１１１１１１１１１１”させ、１６進数”ＦＦＣＦＦＦｈ”に再変換させることによって求められる。【００８２】
また、データエリア１０２−０（１０２−１）の記録終了位置を記録層ごとに設定することが可能である。【００８３】
次に、図４及び図５を参照して、本発明の情報記録媒体の第１実施例に係る２層型光ディスクのデータ構造及び該光ディスクの記録領域におけるＥＣＣブロックを構成する物理的セクタ番号並びに該光ディスクのオポジット方式による記録又は再生手順について説明する。図４は、本発明の情報記録媒体の第１実施例に係る２層型光ディスクのデータ構造及び該光ディスクの記録領域におけるＥＣＣブロックを構成する物理的セクタ番号並びに該光ディスクのオポジット方式による記録又は再生方法を示した概念的グラフ図である。図５は、本発明の情報記録媒体の第１実施例に係る２層型光ディスクのデータ構造、該光ディスクの記録領域におけるＥＣＣブロックを構成するセクタ番号、並びに、ランドプリピットアドレス、並びに、該光ディスクのオポジット方式による記録又は再生方法を示した概念的グラフ図である。尚、図４及び図５中の縦軸及び横軸等は、前述した図２及び図３と同様である。【００８４】
図４に示されるように、本発明の情報記録媒体の第１実施例に係る２層型光ディスク１００は、図示しない透明基板に積層された２層の記録層、即ち、Ｌ０層とＬ１層とを備えて構成されている。【００８５】
具体的には、Ｌ０層には、内周側から外周側にかけて、リードインエリア１０１−０、データエリア１０２−０及びミドルエリア１０４−０が設けられている。このリードインエリア１０１−０には、前述したＰＣエリアＰＣＡ及び前述したＲＭエリアＲＭＡ等が設けられている。また、ミドルエリア１０４−０は、Ｌ０層及びＬ１層に対する記録又は再生位置が基板外へ外れることを防止する基本機能を有するが、層間ジャンプの際に記録又は再生位置が基板外に外れることを防止する、言わば”ジャンプ緩衝用エリア”としての機能も有する。【００８６】
他方、Ｌ１層には、外周側から内周側にかけて、ミドルエリア１０４−１、データエリア１０２−１、及び、リードアウト１０３−１が設けられている。このリードアウトエリア１０３−１にも、図示しないＰＣＡ等が設けられていてもよい。【００８７】
以上のように２層型光ディスク１００は構成されているので、該光ディスク１００の記録又は再生の際の焦点距離等の制御は、前述したパラレル方式と同様である。【００８８】
特に、本発明の情報記録媒体の第１実施例に係る２層型光ディスクの記録又は再生手順としてオポジット方式が採用されていてもよい。ここに、オポジット方式とは、より詳細には、２層型光ディスクの記録又は再生手順として、後述される情報記録再生装置の光ピックアップが、Ｌ０層において、内周側から外周側へ向かって、即ち、図４中の矢印の右方向へ移動するのとは逆に、Ｌ１層においては、光ピックアップが外周側から内周側へ向かって、即ち、図４中の矢印の左方向へ移動することによって、２層型光ディスクにおける記録又は再生が行われる方式である。このオポジット方式では、Ｌ０層における記録又は再生が終了されると、Ｌ１層における記録又は再生が開始される時に、光ディスクの最外周にある光ピックアップが再度、最内周へ向かって移動する必要はなく、Ｌ０層からＬ１層への焦点距離だけを切り替えればよいため、Ｌ０層からＬ１層への切り替え時間がパラレル方式と比較して短いという利点があるため大容量のコンテンツ情報の記録には採用されている。【００８９】
具体的には、先ず、Ｌ０層において、光ピックアップがリードインエリア１０１−０、データエリア１０２−０及びミドルエリア１０４−０を内周側から外周側へ移動するにつれて光ディスク１００の記録領域におけるセクタ番号は増加していく。より具体的には、光ピックアップが、セクタ番号が”０２ＦＦＦＦｈ”のリードインエリア１０１−０の終了位置（図４中のＡ地点を参照）、セクタ番号が”０３００００ｈ”のデータエリア１０２−０の開始位置（図４中のＢ地点を参照）、セクタ番号が”１ＡＦＦＦＦｈ”のデータエリア１０２−０の終了位置（以下、適宜、Ｌ０層の「折り返し点」と称す：図４中のＣ地点を参照）に順次アクセスして、緩衝の役目を果たすミドルエリア１０４−０へと移動されることによって、Ｌ０層における記録又は再生が行われる。尚、本実施例において、”３００００ｈ”等の末尾の”ｈ”とは１６進数で表現されていることを示す。他方、Ｌ１層において、具体的には、光ピックアップがミドルエリア１０４−１、データエリア１０２−１及びリードアウトエリア１０３−１を外周側から内周側へ移動するにつれて光ディスク１００の記録領域におけるセクタ番号は増加していく。より具体的には、光ピックアップが、緩衝の役目を果たすミドルエリア１０４−１、セクタ番号が”Ｅ５００００ｈ”のデータエリア１０２−１の開始位置（以下、適宜、Ｌ１層の「折り返し点」と称す：図４中のＤ地点を参照）、セクタ番号が”ＦＣＦＦＥＦｈ”のデータエリア１０２−１の終了位置（図４中のＥ地点を参照）に順次アクセスして、リードアウトエリア１０３−１へと移動されることによって、Ｌ１層における記録又は再生が行われる。【００９０】
以上説明したＬ０層とＬ１層とにおけるセクタ番号はすべて、１６進数における１５の補数の関係にある。より具体的には、例えば、Ｌ０層における折り返し点（セクタ番号”１ＡＦＦＦＦｈ”）とＬ１層における折り返し点（セクタ番号”Ｅ５００００ｈ”）は１５の補数の関係にある。形式的には、”１ＡＦＦＦＦｈ”の補数は、１６進数のセクタ番号”１ＡＦＦＦＦｈ”を２進数”０００１１０１０１１１１１１１１１１１１１１１１”に変換してからビット反転（インバート：invert）”１１１００１０１００００００００００００００００”させ、１６進数”Ｅ５００００ｈ”に再変換させることによって求められる。【００９１】
よって、コンテンツ情報は、例えば、Ｌ０層のデータエリア１０２−０のセクタ番号”０３００００ｈ”から”１ＡＦＦＦＦｈ”及びＬ１層のデータエリア１０２−１のセクタ番号”Ｅ５００００ｈ”から”ＦＣＦＦＥＦｈ”において、光ピックアップが連続して移動されると同時に記録又は再生される。【００９２】
以上説明した物理的セクタ番号に対して、論理ブロックアドレス（ＬＢＡ：Logical Block Address）が、１対１に割り付けられている。より具体的には、例えば、セクタ番号”０３００００ｈ”には”００００００”ＬＢＡが対応し、セクタ番号”１ＡＦＦＦＦｈ”には、”１７ＦＦＦＦ”ＬＢＡが対応する。また、セクタ番号”Ｅ５００００ｈ”には、”１８００００”ＬＢＡが対応し、セクタ番号”ＦＣＦＦＥＦｈ”には、”２ＦＦＦＥＦ”ＬＢＡが対応する。よって、例えば、ホストコンピュータは、物理的セクタ番号に意識することなく、例えば、ファイルシステムによって管理された論理ブロックアドレスに従って記録及び再生動作を行うことが可能となる。【００９３】
次に、図５を参照して、本発明の情報記録媒体の第１実施例に係る２層型光ディスクのオポジット方式におけるセクタ番号とＬＰＰアドレスとの関係について説明する。【００９４】
図５に示されるように、Ｌ０層及びＬ１層のＬＰＰアドレスは、パラレル方式と同様に、Ｌ０層及びＬ１層のセクタ番号から求めることが可能である。従って、Ｌ０層とＬ１層とにおけるＬＰＰアドレスはすべて、セクタ番号と同様に、１６進数における１５の補数の関係にある。【００９５】
また、パラレル方式と同様に、オポジット方式においてもデータエリア１０２−０（１０２−１）の記録終了位置を記録層ごとに設定することが可能である。【００９６】
次に、図６から図７を参照して、本発明の情報記録媒体の第１実施例に係る２層型光ディスクのデータ構造及びセクタ番号で示された記録領域並びに該光ディスクのパラレル方式及びオポジット方式による記録手順についてより詳細に説明する。ここに、図６は、本発明の情報記録媒体の第１実施例に係る２層型光ディスクのデータ構造及びセクタ番号で示された記録領域を示したパラレル方式及びオポジット方式の下での概念図である。図７は、本発明の情報記録媒体の第１実施例に係る２層型光ディスクのセクタ番号で示された記録領域及び該光ディスクのパラレル方式及びオポジット方式による記録手順を示した概念図である。【００９７】
図６に示されるように、Ｌ１層のセクタ番号が“３００００ｈ”（パラレル方式の場合）又は“ＦＣＦＦＦＦｈ”（オポジット方式の場合）のデータエリア１０２−１の最内周位置が、Ｌ０層のセクタ番号が“３００００ｈ”のデータエリア１０２−０の開始位置から、第１オフセット量だけ外周側に位置するように光ディスクが設計されている。ここに、「第１オフセット量」とは、Ｌ１層のデータエリア１０２−１の最内周位置をＬ０層のデータエリア１０２−０の最内周位置より外周側に位置させるために定められた基準値である。具体的には、Ｌ０層及びＬ１層における貼り合わせ誤差によって生じる偏心の最大値である。より具体的には、Ｌ０層の偏心の最大値が４０μmであり、Ｌ１層の偏心の最大値が７０μmであった場合、第１オフセット量は、Ｌ０層及びＬ１層の偏心の最大値の和、即ち、１１０μm（＝４０＋７０）である。また、第１オフセット量の上限値を２００μmとすることにより、ＤＶＤ−ＲＯＭ規格のパラレル方式に準拠することができる。尚、第１オフセット量は、光ディスクの半径方向の長さ（μｍ）として示され、セクタ数やＥＣＣブロック数に換算可能としてもよいし、アドレスの所定単位であるセクタ数やＥＣＣブロック数で直接的に示されてもよい。【００９８】
パラレル方式のＤＶＤ−ＲＯＭの規格に準拠するためには、データエリア１０２の開始位置（セクタ番号が“３００００ｈ”の位置）を、直径が４７．６mmから４８．０mmの範囲に収める必要がある。従って、第１オフセット量の上限値は半径にして２００μｍ（（４８．０−４７．６）÷２＝０．２mm）となる。よって、Ｌ０層のデータエリア１０２−０の開始位置（セクタ番号が“３００００ｈ”の位置）を、光ディスクの直径上、４７．６mmから４７．８mmの範囲に収めるようにしてもよい。と同時に、Ｌ１層のデータエリア１０２−１の開始位置（セクタ番号が“３００００ｈ”の位置）を、光ディスクの直径上、４７．８２mmから４８．０mmの範囲に収めるようにしてもよい。【００９９】
以上より、Ｌ０層とＬ１層のデータエリア１０２−０の開始位置（セクタ番号が“３００００ｈ”の位置）の半径上の差、即ち、第１オフセット量は、偏心に基づいた値の１１０μｍ（０．１１ｍｍ）より大きくするとよく、且つ、パラレル方式の場合はＤＶＤ−ＲＯＭの規格に基づいた値の２００μｍ（０．２０ｍｍ）より小さくするとよい。【０１００】
図７に示されるように、Ｌ０層及びＬ１層に交互に記録データの記録が行われる場合、例えば、一番目のコンテンツデータである記録データが、最初にＬ０層に記録され、次にＬ１層に続けて記録される（図７中のグレー部分を参照）。同様に、二番目のコンテンツデータである記録データが、最初にＬ０層に記録され、次にＬ１層に続けて記録される（図７中の右斜め上の斜線部分を参照）。更に、同様に、三番目のコンテンツデータである記録データが、最初にＬ０層に記録され、次にＬ１層に続けて記録される（図７中の斑点部分を参照）。【０１０１】
パラレル方式においては、コンテンツデータである記録データが夫々記録される際に、Ｌ１層においては、Ｌ０層と同じ方向で、即ち、内周側から外周側に向かって該光ディスクに対する記録動作が行なわれる。より具体的には、一番目のコンテンツデータである記録データが、最初にＬ０層にデータエリア１０２−０の記録開始位置（セクタ番号が“３００００ｈ”）から記録され、続いて、Ｌ１層にデータエリア１０２−１の記録開始位置（セクタ番号が“３００００ｈ”）から記録される（図７中のグレー部分及び実線の矢印を参照）。他方、オポジット方式においては、コンテンツデータである記録データが夫々記録される際に、Ｌ１層においては、Ｌ０層と反対方向で、即ち、外周側から内周側に向かって該光ディスクに対する記録動作が行なわれる。より具体的には、一番目のコンテンツデータである記録データが、最初にＬ０層にデータエリア１０２−０の記録開始位置（セクタ番号が“３００００ｈ”）から記録され、続いて、Ｌ１層にデータエリア１０２−１の記録終了位置（セクタ番号が“ＦＣＦＦＦＦｈ”）へ向かって記録される（図７中のグレー部分及び点線の矢印を参照）。【０１０２】
特に、本発明の情報記録媒体の第１実施例に係る２層型光ディスクに対しては、Ｌ１層において記録データが記録されるデータエリア１０２−１の最外周位置が、Ｌ０層において記録データが記録されたデータエリア１０２−０の最外周位置から、第２オフセット量だけ内周側に位置するように該光ディスクに対する記録動作が行なわれる。ここに、「第２オフセット量」とは、Ｌ１層のデータエリア１０２−１の最外周位置をＬ０層のデータエリア１０２−０の最外周位置より内周側に位置させるために定められた半径方向の長さに相当する基準値である。具体的には、Ｌ０層及びＬ１層における貼り合わせ誤差によって生じる偏心の最大値であり、前述した第１オフセット量と同様に、偏心に基づいた値の１１０μｍ（０．１１ｍｍ）より大きくするとよい。加えて、パラレル方式の場合は、ＤＶＤ−ＲＯＭの規格に準拠するには２００μｍ（０．２０ｍｍ）より小さくするとよい。尚、第２オフセット量も、第１オフセット量と同様にして、光ディスクの半径方向の長さ（μｍ）として示され、セクタ数やＥＣＣブロック数に換算可能としてもよいし、アドレスの所定単位であるセクタ数やＥＣＣブロック数で直接的に示されてもよい。また、該光ディスクに対する記録動作において、Ｌ１層の記録領域の最外周位置をＬ０層の記録領域の最外周位置より第２オフセット量だけ内周側に位置させるためには、Ｌ０層及びＬ１層に交互に記録データの記録を行うに際して、常にＬ１層の記録データ量をＬ０層の記録データ量より小さくしてもよい。或いは、Ｌ１層の最内周における記録データ量だけをＬ０層の記録データ量より小さくし、Ｌ１層の最内周以外における記録データ量をＬ０層の記録データ量と等しくしてもよい。【０１０３】
従って、パラレル方式においては、Ｌ１層における記録データの記録終了位置が、Ｌ０層における記録データの記録終了位置から、第２オフセット量だけ内周側に位置するように該光ディスクに対する記録動作が行なわれる。他方、オポジット方式においては、Ｌ１層における記録データの記録開始位置が、Ｌ０層における記録データの記録終了位置から、第２オフセット量だけ内周側に位置するように該光ディスクに対する記録動作が行なわれる。【０１０４】
以上のように、本発明の情報記録媒体の第１実施例に係る光ディスクによれば、Ｌ１層のセクタ番号が“３００００ｈ”（パラレル方式の場合）又は“ＦＣＦＦＦＦｈ”（オポジット方式の場合）のデータエリア１０２−１の最内周位置が、Ｌ０層のセクタ番号が“３００００ｈ”のデータエリア１０２−０の開始位置から、第１オフセット量だけ外周側に位置するように光ディスクが設計されている。加えて、第１実施例に係る光ディスクに対しては、Ｌ１層において記録データが記録されるデータエリア１０２−１の最外周位置が、Ｌ０層において記録データが記録されたデータエリア１０２−０の最外周位置から、第２オフセット量だけ内周側に位置するように該光ディスクに対する記録動作が行なわれる。従って、Ｌ０層及びＬ１層に交互に記録データの記録が行われる場合、Ｌ０層において記録データが記録された後で、Ｌ１層のデータエリア１０２−１の開始位置から記録データが記録される際に、記録用のレーザ光ＬＢは、Ｌ０層及びＬ１層の偏心に関係なく、記録済み状態のＬ０層を透過する。即ち、Ｌ１層の記録に際して、未記録状態のＬ０層を透過することは殆ど又は完全にない。よって、Ｌ１層のデータエリア１０２−１の開始位置において記録された記録データの再生特性を安定させることが可能である。【０１０５】
一般に、２層型光ディスクにおいては、記録データが記録済みの状態であるＬ０層を介して照射されるレーザ光によりＬ１層にデータを記録する場合と、記録データが未記録状態であるＬ０層を介して照射されるレーザ光によりＬ１層に記録データを記録する場合とでは、Ｌ１層に記録された記録データの品質が異なることが知られている。即ち、この２つの場合の夫々において、同一の条件で照射されたレーザ光により記録データを記録する場合、いずれか一方は良好な記録特性を得られたとしても、いずれか他方においては必ずしも良好な記録特性が得られるとは限らないという技術的な問題点を有している。【０１０６】
これに対して、第１実施例に係る光ディスクによれば、記録データが記録済み状態のＬ０層を介して照射されるレーザ光ＬＢによりＬ１層に記録データを記録することができる。よって、上述した技術的な問題点を解決することができる。その結果、記録データが記録済み状態のＬ０層を介してＬ１層に記録データを記録する場合における最適な記録レーザパワーによって、Ｌ１層のいずれの記録領域にも適切な記録を行うことができる。特に、記録レーザパワーが切り替えられる必要もなく、セクタ番号等のプリフォーマットアドレスに応じて記録データを記録していけばよいため、記録手順自体も簡略化されるという利点も有する。加えて、この記録された記録データを再生する場合にも、良好な再生特性（例えば、アシンメトリ値、ジッタ値、変調度や再生エラーレート等）を得ることができる。【０１０７】
次に、図８から図１０を参照して、本発明の情報記録媒体の第１実施例に係る２層型光ディスクにおいて、パラレル方式又はオポジット方式による該光ディスクに対する記録動作後の記録領域の一具体例及び他の具体例について説明する。ここに、図８は、本発明の情報記録媒体の第１実施例に係る２層型光ディスクにおいて、パラレル方式又はオポジット方式による該光ディスクに対する記録動作後の記録領域の一具体例を示した概念図である。図９は、比較例に係る２層型光ディスクにおいて、パラレル方式又はオポジット方式による該光ディスクに対する記録動作後の記録領域の一具体例を示した概念図である。図１０は、本発明の情報記録媒体の第１実施例に係る２層型光ディスクにおいて、パラレル方式又はオポジット方式による該光ディスクに対する記録動作後の記録領域の他の具体例を示した概念図である。尚、これらの図では、Ｌ１層のアドレスはパラレル方式のセクタ番号を示してある。【０１０８】
先ず、図８に加えて図９を適宜参照して、本発明の情報記録媒体の第１実施例に係る２層型光ディスクの一具体例について説明する。【０１０９】
図８に示されるように、本発明の情報記録媒体の第１実施例に係る２層型光ディスクによれば、Ｌ１層のデータエリア１０２−１の記録開始位置Ｂ点（セクタ番号：“３００００ｈ”、半径：２４．００ｍｍ）は、Ｌ０層のデータエリア１０２−０の記録開始位置Ａ点（セクタ番号：“３００００ｈ”、半径：２３．８５ｍｍ）より第１オフセット量（半径方向の幅が１５０μｍ）だけ外周側に位置している。また、Ｌ０層及びＬ１層に交互に記録データの記録を行う一連の該光ディスクに対する記録動作の完了後に、Ｌ１層のデータエリア１０２−１の最外周位置Ｄ点（セクタ番号：“２２８Ｄ２Ａｈ”、半径：５７．７９ｍｍ）は、Ｌ０層のデータエリア１０２−０の最外周位置Ｃ点（セクタ番号：“２２Ｄ４３Ｂｈ”、半径：５７．９４ｍｍ）より第２オフセット量（半径方向の幅が１５０μｍ）だけ内周側に位置させるようにする。【０１１０】
特に、本発明の情報記録媒体の第１実施例に係る２層型光ディスクの一具体例によれば、Ｌ０層及びＬ１層に交互に記録データの記録を行う該光ディスクに対する記録動作において、Ｌ１層のデータエリア１０２−１の記録終了位置をＬ０層のデータエリア１０２−０の記録終了位置より、第２オフセット量（半径方向の幅が１５０μｍ）だけ、常に内周側に位置させるようにする。このためには、第２オフセット量に加えて、第１オフセット量による影響を含めて、実際のＬ１層のデータエリア１０２−１の記録終了位置を決定する。尚、この記録終了位置の決定方法は、例えば、実験的、経験的又は理論的若しくはシミュレーション等により求めることが可能である。【０１１１】
具体的には、前述のように、Ｌ１層のデータエリア１０２−１の前述した記録開始位置Ｂ点は、Ｌ０層のデータエリア１０２−０の前述した記録開始位置Ａ点より第１オフセット量（半径方向の幅が１５０μｍ）だけ外周側に位置している。よって、図９に示されるように、仮に、第２オフセット量を考慮しない該光ディスクに対する記録動作の下では、Ｌ１層のデータエリア１０２−１の最外周位置Ｄ’点（セクタ番号：“２２Ｄ４３Ｂｈ”、半径：５８．００ｍｍ）は、該最外周位置Ｄ’点と同じセクタ番号を持つＬ０層のデータエリア１０２−０の前述した最外周位置Ｃ点より半径方向で６０μｍだけ外周側に位置してしまう。一般に、光ディスクの最外周へ近づく程、半径が大きくなるため、第１オフセット量（１５０μｍ）である最内周におけるＬ０層とＬ１層との半径方向の位置の差は、最外周においては６０μｍに減少する。従って、再び、図８に示されるように、実際のＬ１層のデータエリア１０２−１の最外周位置Ｄ点が、Ｄ’点より２１０μｍ（＝１５０＋６０）だけ内周側に位置するように、該光ディスクに対する記録動作が行なわれる。言い換えると、実際のＬ１層のデータエリア１０２−１の最外周位置Ｄ点のセクタ番号が、Ｄ’点のセクタ番号より“４７１１ｈ”のセクタ番号数だけ小さくなるように、該光ディスクに対する記録動作が行なわれる。尚、この半径方向の長さからセクタ番号数への換算方法は、例えば、実験的、経験的又は理論的若しくはシミュレーション等により求めることが可能である。【０１１２】
以下、同様にして、パラレル方式においては、例えば、一番目のコンテンツデータである記録データが、最初にＬ０層のデータエリア１０２−０の前述した記録開始位置Ａ点から記録終了位置Ｅ点（セクタ番号：“６Ｃ７Ｅ６ｈ”、半径：３０．００ｍｍ）まで記録される。続いて、Ｌ１層のデータエリア１０２−１の前述した記録開始位置Ｂ点から記録終了位置Ｆ点（セクタ番号：“６９８ＢＦｈ”、半径：２９．８５ｍｍ）まで記録される（図８中のグレー部分を参照）。よって、Ｅ点とＦ点において、半径方向に、第２オフセット量（１５０μｍ）の差が得られる。言い換えると、Ｌ１層の記録終了位置Ｆ点のセクタ番号が、Ｅ点のセクタ番号より“２Ｆ２７ｈ”のセクタ番号数だけ小さくなるように、該光ディスクに対する記録動作が行なわれる。或いは、例えば、三番目のコンテンツデータである記録データが、Ｌ０層の記録終了位置Ｇ点（セクタ番号：“ＥＣ５Ｂ９ｈ”、半径：４０．００ｍｍ）まで記録される。続いて、Ｌ１層の記録終了位置Ｈ点（セクタ番号：“Ｅ８ＤＢＦｈ”、半径：３９．８５ｍｍ）まで記録される（図８中の斑点部分を参照）。よって、Ｇ点とＨ点において、半径方向に、第２オフセット量（１５０μｍ）の差が得られる。言い換えると、Ｌ１層の記録終了位置Ｈ点のセクタ番号が、Ｇ点のセクタ番号より“３７ＦＡｈ”のセクタ番号数だけ小さくなるように、該光ディスクに対する記録動作が行なわれる。【０１１３】
尚、オポジット方式においても、該光ディスクに対する記録動作完了後は、パラレル方式と同様の記録領域となるので説明を省略する。【０１１４】
次に、図１０に加えて前述した図８を適宜参照して、本発明の情報記録媒体の第１実施例に係る２層型光ディスクの他の具体例について説明する。【０１１５】
図１０に示されるように、図８で説明した一具体例と概ね同様に、Ｌ１層のデータエリア１０２−１の記録開始位置Ｂ点は、Ｌ０層のデータエリア１０２−０の記録開始位置Ａ点より第１オフセット量（半径方向の幅が１５０μｍ）だけ外周側に位置している。また、Ｌ０層及びＬ１層に交互に記録データの記録を行う該光ディスクに対する記録動作の完了後に、Ｌ１層のデータエリア１０２−１の最外周位置Ｄ点は、Ｌ０層のデータエリア１０２−０の最外周位置Ｃ点より第２オフセット量（半径方向の幅が１５０μｍ）だけ内周側に位置させるようにする。【０１１６】
特に、本発明の情報記録媒体の第１実施例に係る２層型光ディスクの他の具体例によれば、Ｌ０層及びＬ１層に交互に記録データの記録を行う該光ディスクに対する記録動作において、Ｌ１層のデータエリア１０２−１の記録終了位置のセクタ番号をＬ０層のデータエリア１０２−０の記録終了位置のセクタ番号より、常に第２オフセット量（一定のセクタ番号数）だけ小さくさせる。尚、この第２オフセット量である一定のセクタ番号数の決定方法は、図８で説明した一具体例と概ね同様に、例えば、実験的、経験的又は理論的若しくはシミュレーション等により求めることが可能である。また、他の具体例によれば、セクタ番号等のプリフォーマットアドレスに応じて記録データを記録していけばよいため、記録手順自体も簡略化されるという利点も有する。【０１１７】
より具体的には、実際のＬ１層のデータエリア１０２−１の最外周位置Ｄ点のセクタ番号が、Ｌ０層のデータエリア１０２−０の最外周位置Ｃ点のセクタ番号より“４７１１ｈ”のセクタ番号数だけ小さくなるように、該光ディスクに対する記録動作が行なわれる。このように、最外周位置において、決定された一定のセクタ番号数を第２オフセット量とすると、この一定のセクタ番号数に対応される半径方向の幅は、半径の小さい内周側に向かうにつれて大きくなることは自明である。【０１１８】
以下、同様にして、パラレル方式においては、例えば、一番目のコンテンツデータである記録データが、最初にＬ０層のデータエリア１０２−０の前述した記録開始位置Ａ点から前述した記録終了位置Ｅ点まで記録される。続いて、Ｌ１層のデータエリア１０２−１の前述した記録開始位置Ｂ点から記録終了位置Ｉ点（セクタ番号：“６８０Ｄ５ｈ”、半径：２９．７１ｍｍ）まで記録される（図１０中のグレー部分を参照）。即ち、Ｌ１層の記録終了位置Ｉ点のセクタ番号が、Ｅ点のセクタ番号より“４７１１ｈ”のセクタ番号数だけ小さくなるように、該光ディスクに対する記録動作が行なわれる。よって、Ｅ点とＩ点の半径位置において、第２オフセット量（１５０μｍ）より大きな２９０μｍの差が得られる。或いは、例えば、三番目のコンテンツデータである記録データが、Ｌ０層の前述した記録終了位置Ｇ点まで記録される。続いて、Ｌ１層の記録終了位置Ｊ点（セクタ番号：“Ｅ７ＥＡ８ｈ”、半径：３９．７９ｍｍ）まで記録される（図１０中の斑点部分を参照）。即ち、Ｌ１層の記録終了位置Ｊ点のセクタ番号が、Ｇ点のセクタ番号より“４７１１ｈ”のセクタ番号数だけ小さくなるように、該光ディスクに対する記録動作が行なわれる。よって、Ｇ点とＪ点の半径位置において、第２オフセット量（１５０μｍ）より大きな半径方向に２１０μｍの差が得られる。【０１１９】
尚、オポジット方式においても、該光ディスクに対する記録動作完了後は、パラレル方式と同様の記録領域となるので説明を省略する。【０１２０】
（情報記録媒体の第１実施例の作用効果の検討）
次に、比較例を示した図１１から図１３を参照して、本発明の情報記録媒体の第１実施例に係る光ディスクの作用効果について検討を加える。ここに、図１１は、比較例の一具体例に係る２層型光ディスクのデータ構造及び該光ディスクのパラレル方式による記録又は再生方法を示した概念図である。図１２は、比較例の他の具体例に係る２層型光ディスクのデータ構造及び該光ディスクのオポジット方式による記録又は再生方法を示した概念図である。図１３は、比較例の他の具体例に係る２層型光ディスクの貼り合わせ誤差によって偏心が生じた場合のデータ構造を示した概念図である。【０１２１】
図１１及び図１２に示されるように、比較例に係るパラレル方式及びオポジット方式において、Ｌ０層及びＬ１層に交互に記録データの記録を行う場合、Ｌ１層において記録データが記録されるデータエリア１０２−１の最外周位置が、Ｌ０層において記録データが記録されたデータエリア１０２−０の最外周位置から、第２オフセット量だけ内周側に位置するように該光ディスクに対する記録動作が行なわれる。従って、比較例に係るＬ１層のデータエリア１０２−１の開始位置から記録データが記録される場合、記録用のレーザ光ＬＢは、記録済み状態のＬ０層を透過するかもしれない。より具体的には、例えば、一番目のコンテンツデータである記録データが、最初にＬ０層に記録され、次にＬ１層に続けて記録される（図１１及び図１２中のグレー部分を参照）。以下同様に、二番目及び三番目のコンテンツデータについては、図１１及び図１２中の右斜め上の斜線部分及び斑点部分を参照。よって、Ｌ１層のデータエリア１０２−１に記録された記録データの再生特性が安定するかもしれない。【０１２２】
しかしながら、図１３に示されるように、比較例においては、Ｌ０層及びＬ１層における貼り合わせ誤差によって偏心が生じ、Ｌ１層のセクタ番号が“３００００ｈ”（パラレル方式の場合）又は“ＦＣＦＦＦＦｈ”（オポジット方式の場合）のデータエリア１０２−１の最内周位置が、Ｌ０層のセクタ番号が“３００００ｈ”のデータエリア１０２−０の開始位置から、内周側に位置した場合、記録用のレーザ光ＬＢは、未記録状態のＬ０層を透過してしまう。よって、Ｌ１層のデータエリア１０２−１の最内周位置において記録された記録データの再生特性が不安定となってしまう。【０１２３】
これに対して、本発明の情報記録媒体の第１実施例に係る光ディスクによれば、Ｌ１層のセクタ番号が“３００００ｈ”（パラレル方式の場合）又は“ＦＣＦＦＦＦｈ”（オポジット方式の場合）のデータエリア１０２−１の最内周位置が、Ｌ０層のセクタ番号が“３００００ｈ”のデータエリア１０２−０の開始位置から、第１オフセット量だけ外周側に位置するように光ディスクが設計されている。加えて、第１実施例に係る光ディスクに対しては、Ｌ１層において記録データが記録されるデータエリア１０２−１の最外周位置が、Ｌ０層において記録データが記録されたデータエリア１０２−０の最外周位置から、第２オフセット量だけ内周側に位置するように該光ディスクに対する記録動作が行なわれる。従って、Ｌ０層及びＬ１層に交互に記録データの記録が行われる場合、Ｌ０層において記録データが記録された後で、Ｌ１層のデータエリア１０２−１の最内周位置から記録データが記録される際に、記録用のレーザ光ＬＢは、Ｌ０層及びＬ１層の偏心に関係なく、記録済み状態のＬ０層を透過する。即ち、Ｌ１層の記録に際して、未記録状態のＬ０層を透過することは殆ど又は完全にない。その結果、記録データが記録済み状態のＬ０層を介してＬ１層に記録データを記録する場合における最適な記録レーザパワーによって、Ｌ１層のいずれの記録領域にも適切な記録を行うことができる。特に、記録レーザパワーが切り替えられる必要もなく、セクタ番号等のプリフォーマットアドレスに応じて記録データを記録していけばよいため、記録手順自体も簡略化されるという利点も有する。加えて、この記録された記録データを再生する場合にも、良好な再生特性を得ることができる。【０１２４】
（情報記録媒体の第２実施例）
次に、図１４から図１６を参照して、本発明の情報記録媒体の第２実施例に係る２層型光ディスクのデータ構造及びセクタ番号で示された記録領域並びに該光ディスクの記録手順についてより詳細に説明する。ここに、図１４は、本発明の情報記録媒体の第２実施例に係る２層型光ディスクにおいて、Ｌ１層のトラックピッチが調整されている場合の該光ディスクに対する記録動作後の記録領域の一具体例を示した概念図である。図１５は、本発明の情報記録媒体の第２実施例に係る２層型光ディスクにおいて、パラレル方式又はオポジット方式による該光ディスクに対する記録動作後の記録領域の一具体例を示した概念図である。図１６は、本発明の情報記録媒体の第２実施例に係る２層型光ディスクにおいて、パラレル方式又はオポジット方式による該光ディスクに対する記録動作後の記録領域の他の具体例を示した概念図である。尚、これらの図では、Ｌ１層のアドレスはパラレル方式のセクタ番号を示してある。【０１２５】
本発明の情報記録媒体の第２実施例におけるデータ構造及び記録手順は、第１実施例における場合と概ね同様である。尚、第２実施例における記録領域において、第１実施例と同じ位置には、同様の符号を付し、それらの説明は省略する。【０１２６】
先ず、図１４及び図１５を参照して、本発明の情報記録媒体の第２実施例に係る２層型光ディスクの一具体例について説明する。【０１２７】
図１４に示されるように、本発明の情報記録媒体の第２実施例に係る光ディスクにおいては、Ｌ１層のトラックピッチが調整されている。従って、該光ディスクに対して記録動作が行われた場合、Ｌ１層のデータエリア１０２−１の最外周位置は、該最外周位置と同じセクタ番号を持つＬ０層のデータエリア１０２−０の最外周位置より第３オフセット量だけ外周側に位置する。ここに、「第３オフセット量」とは、光ディスクに対してＬ０層及びＬ１層のトラックピッチの比又は差が調整されることによって、該光ディスクに対して記録動作が行なわれる際に、Ｌ１層のデータエリア１０２−１の最外周位置を、Ｌ０層のデータエリア１０２−０の最外周位置より所定範囲内に位置させるために定められた半径方向の長さに相当する基準値である。より具体的には、第２実施例におけるＬ１層のトラックピッチが調整された光ディスクに対して記録動作が行われ、Ｌ１層のデータエリア１０２−１の最外周位置Ｋ点（セクタ番号：“２２Ｄ４３Ｂｈ”、半径：５８．１４ｍｍ）は、該最外周位置Ｋ点と同じセクタ番号を持つＬ０層のデータエリア１０２−０の前述した最外周位置Ｃ点より半径方向で第３オフセット量として、例えば最大で２００μｍだけ外周側に位置するようにする。尚、本発明の情報記録媒体の第２実施例においては、説明の便宜上、Ｌ１層のトラックピッチが調整されているが、Ｌ０層及びＬ１層のトラックピッチの比又は差が調整されていてもよい。【０１２８】
従って、図１５に示されるように、本発明の情報記録媒体の第２実施例に係る２層型光ディスクの一具体例によれば、Ｌ０層及びＬ１層に交互に記録データの記録が行われる場合において、Ｌ１層のデータエリア１０２−１の記録終了位置がＬ０層のデータエリア１０２−０の記録終了位置より、第２オフセット量（半径方向の幅が１５０μｍ）だけ、常に内周側に位置させるようにする。このため、後述される情報記録装置によって、第２オフセット量に加えて、第３オフセット量を含めて、実際のＬ１層のデータエリア１０２−１の記録終了位置が決定される。尚、この第３オフセット量を考慮した記録終了位置の決定方法は、第１実施例と同様に、例えば、実験的、経験的又は理論的若しくはシミュレーション等により求めることが可能である。【０１２９】
より具体的には、実際のＬ１層のデータエリア１０２−１の最外周位置Ｌ点が、Ｋ点より３５０μｍ（＝２００＋１５０）だけ内周側に位置するように、該光ディスクに対する記録動作が行なわれる。言い換えると、実際のＬ１層のデータエリア１０２−１の最外周位置Ｌ点のセクタ番号が、Ｋ点のセクタ番号より“７５ＢＢｈ”のセクタ番号数だけ小さくなるように、該光ディスクに対する記録動作が行なわれる。その結果、Ｌ１層のデータエリア１０２−１の最外周位置Ｌ点のセクタ番号は、“２２５Ｅ８０ｈ”となり、半径は、５７．７９ｍｍとなる。前述の図８で説明した本発明の情報記録媒体の第１実施例に係る２層型光ディスクの一具体例と比較して、Ｌ１層のトラックピッチが大きい分だけセクタ番号が小さくなっていることが分かる。【０１３０】
以下、同様にして、パラレル方式においては、例えば、一番目のコンテンツデータである記録データが、最初にＬ０層のデータエリア１０２−０の前述した記録開始位置Ａ点から前述した記録終了位置Ｅ点まで記録される。続いて、Ｌ１層のデータエリア１０２−１の前述した記録開始位置Ｂ点から記録終了位置Ｍ点（セクタ番号：“６９３５Ｅｈ”、半径：２９．８５ｍｍ）まで記録される（図１５中のグレー部分を参照）。よって、Ｅ点とＭ点の半径位置において、第２オフセット量（１５０μｍ）の差が得られる。言い換えると、Ｌ１層の記録終了位置M点のセクタ番号が、Ｅ点のセクタ番号より“３４８８ｈ”のセクタ番号数だけ小さくなるように、該光ディスクに対する記録動作が行なわれたことになる。或いは、例えば、三番目のコンテンツデータである記録データが、Ｌ０層の前述した記録終了位置Ｇ点まで記録される。続いて、Ｌ１層の記録終了位置Ｎ点（セクタ番号：“Ｅ７ＣＡ８ｈ”、半径：３９．８５ｍｍ）まで記録される（図１５中の斑点部分を参照）。よって、Ｇ点とＮ点の半径位置において、第２オフセット量（１５０μｍ）の差が得られる。言い換えると、Ｌ１層の記録終了位置Ｎ点のセクタ番号が、Ｇ点のセクタ番号より“４９１１ｈ”のセクタ番号数だけ小さくなるように、該光ディスクに対する記録動作が行なわれたことになる。【０１３１】
尚、オポジット方式においても、該光ディスクに対する記録動作完了後は、パラレル方式と同様の記録領域となるので説明を省略する。【０１３２】
次に、図１６に加えて前述した図１５を適宜参照して、本発明の情報記録媒体の第２実施例に係る２層型光ディスクの他の具体例について説明する。【０１３３】
図１６に示されるように、図１５で説明した一具体例と概ね同様に、Ｌ１層のトラックピッチが制御されている。【０１３４】
従って、図１６に示されるように、本発明の情報記録媒体の第２実施例に係る２層型光ディスクの他の具体例によれば、Ｌ０層及びＬ１層に交互に記録データの記録を行う該光ディスクに対する記録動作において、Ｌ１層のデータエリア１０２−１の記録終了位置のセクタ番号をＬ０層のデータエリア１０２−０の記録終了位置のセクタ番号より、常に第２オフセット量（一定のセクタ番号数）だけ小さくさせる。尚、この第２オフセット量である一定のセクタ番号数の決定方法は、図１５で説明した一具体例と概ね同様に、例えば、実験的、経験的又は理論的若しくはシミュレーション等により求めることが可能である。また、他の具体例によれば、セクタ番号等のプリフォーマットアドレスに応じて記録データを記録していけばよいため、記録手順自体も簡略化されるという利点も有する。【０１３５】
より具体的には、実際のＬ１層のデータエリア１０２−１の最外周位置Ｌ点のセクタ番号が、Ｌ０層のデータエリア１０２−０の前述した最外周位置Ｃ点のセクタ番号より“７５ＢＢｈ”のセクタ番号数だけ小さくなるように、該光ディスクに対する記録動作が行なわれる。このように、最外周位置において、決定された一定のセクタ番号数を第２オフセット量とすると、この一定のセクタ番号数に対応される半径方向の幅は、半径の小さい内周側に向かうにつれて大きくなることは自明である。【０１３６】
以下、同様にして、パラレル方式においては、例えば、一番目のコンテンツデータである記録データが、最初にＬ０層のデータエリア１０２−０の前述した記録開始位置Ａ点から前述した記録終了位置Ｅ点まで記録される。続いて、Ｌ１層のデータエリア１０２−１の前述した記録開始位置Ｂ点から記録終了位置Ｏ点（セクタ番号：“６５２２Ｂｈ”、半径：２９．４７ｍｍ）まで記録される（図１６中のグレー部分を参照）。即ち、Ｌ１層の記録終了位置O点のセクタ番号が、E点のセクタ番号より“７５ＢＢｈ”のセクタ番号数だけ小さくなるように、該光ディスクに対する記録動作が行なわれる。よって、Ｅ点とＯ点の半径位置において、第２オフセット量（１５０μｍ）より大きな５３０μｍの差が得られる。或いは、例えば、三番目のコンテンツデータである記録データが、Ｌ０層の前述した記録終了位置Ｇ点まで記録される。続いて、Ｌ１層の記録終了位置Ｐ点（セクタ番号：“Ｅ４ＦＦＥｈ”、半径：３９．６６ｍｍ）まで記録される（図１６中の斑点部分を参照）。即ち、Ｌ１層の記録終了位置Ｐ点のセクタ番号が、Ｇ点のセクタ番号より“７５ＢＢ”のセクタ番号数だけ小さくなるように、該光ディスクに対する記録動作が行なわれる。よって、Ｇ点とＰ点の半径位置において、第２オフセット量（１５０μｍ）より大きな３４０μｍの差が得られる。【０１３７】
尚、オポジット方式においても、該光ディスクに対する記録動作完了後は、パラレル方式と同様の記録領域となるので説明を省略する。【０１３８】
（情報記録媒体の第２実施例の作用効果の検討）
次に、比較例を示した図１７から図２０を参照して、本発明の情報記録媒体の第２実施例に係る光ディスクの作用効果について検討を加える。ここに、図１７は、第２比較例に係る２層型光ディスクにおいて、パラレル方式又はオポジット方式による該光ディスクに対する記録動作後の記録領域の一具体例を示した概念図である。図１８は、第２比較例に係る２層型光ディスクにおいて、Ｌ０層及びＬ１層のトラックピッチが制御されていない場合の該光ディスクに対する記録動作後の記録領域の一具体例を示した概念図である。図１９は、第２比較例に係る２層型光ディスクにおいて、Ｌ０層及びＬ１層のトラックピッチ、セクタ番号、並びに、Ｌ０層及びＬ１層の半径方向の差の関係を示したテーブル（図１９（ａ））及びグラフ（図１９（ｂ））である。図２０は、第２比較例に係る２層型光ディスクにおいて、パラレル方式又はオポジット方式による該光ディスクに対する記録動作後の記録領域の他の具体例を示した概念図である。尚、これらの図では、Ｌ１層のアドレスはパラレル方式のセクタ番号を示してある。【０１３９】
図１７に示されるように、第２比較例に係る２層型光ディスクの一具体例によれば、Ｌ０層及びＬ１層のトラックピッチが制御されていない、即ち、第３オフセット量が考慮されていない。よって、Ｌ０層及びＬ１層に交互に記録データの記録を行う該光ディスクに対する記録動作において、Ｌ１層のデータエリア１０２−１の記録終了位置をＬ０層のデータエリア１０２−０の記録終了位置より、第２オフセット量（半径方向の幅が１５０μｍ）だけ、常に内周側に位置させるようにすることができない。即ち、Ｌ１層のデータエリア１０２−１の記録終了位置は、Ｌ０層のデータエリア１０２−０の記録終了位置より、半径方向の幅が１７０μｍだけ外周側に位置してしまう。【０１４０】
具体的には、図１８で示されるように、Ｌ０層及びＬ１層のトラックピッチが制御されていなく、Ｌ０層のトラックピッチが規格値中心の０．７４μmであり、Ｌ１層のトラックピッチが規格値上限の０．７５μmである場合、Ｌ１層のデータエリア１０２−１の最外周位置Ｑ点（セクタ番号：“２２Ｄ４３Ｂｈ”、半径：５８．３２ｍｍ）は、該最外周位置Ｑ点と同じセクタ番号を持つＬ０層のデータエリア１０２−０の前述した最外周位置Ｃ点より半径方向で３８０μｍだけ外周側に位置してしまう。尚、この３８０μｍは、図１９（ａ）及び（ｂ）のセクタ番号（アドレス値）が“２２００００ｈ”の半径位置の差０．３１８ｍｍに図９において説明した６０μｍを加算することによっても推測することが可能である。【０１４１】
再び、図１７に示されるように、第２比較例の一具体例では、図８で説明した第１実施例の一具体例と同様に、実際のＬ１層のデータエリア１０２−１の最外周位置Ｒ点が、Ｑ点より２１０μｍ（＝１５０＋６０）だけ内周側に位置するように、該光ディスクに対する記録動作が行なわれる。言い換えると、実際のＬ１層のデータエリア１０２−１の最外周位置R点のセクタ番号が、Ｑ点のセクタ番号より“４７１１ｈ”のセクタ番号数だけ小さくなるように、該光ディスクに対する記録動作が行なわれる。その結果、Ｌ１層のデータエリア１０２−１の最外周位置Ｒ点のセクタ番号は、“２２８Ｄ２Ａｈ”となり、半径は、５８．１１ｍｍとなる。即ち、Ｌ１層のデータエリア１０２−１の記録終了位置は、Ｌ０層のデータエリア１０２−０の記録終了位置より、半径方向の幅が１７０μｍ（＝３８０−２１０）だけ外周側に位置してしまう。【０１４２】
以下、同様にして、パラレル方式においては、例えば、一番目のコンテンツデータである記録データが、最初にＬ０層のデータエリア１０２−０の前述した記録開始位置Ａ点から前述した記録終了位置Ｅ点まで記録される。続いて、Ｌ１層のデータエリア１０２−１の前述した記録開始位置Ｂ点から記録終了位置Ｓ点（セクタ番号：“６９８ＢＦｈ”、半径：２９．９２ｍｍ）まで記録される（図１７中のグレー部分を参照）。よって、Ｅ点とＳ点の半径位置の差は、８０μｍとなり、第２オフセット量（１５０μｍ）の差を確保することはできない。或いは、例えば、三番目のコンテンツデータである記録データが、Ｌ０層の前述した記録終了位置Ｇ点まで記録される。続いて、Ｌ１層の記録終了位置Ｔ点（セクタ番号：“Ｅ８ＤＢＦｈ”、半径：４０．０２ｍｍ）まで記録される（図１７中の斑点部分を参照）。よって、Ｇ点とＴ点の半径位置の差は、−２０μｍとなり、第２オフセット量（１５０μｍ）の差を確保することはできない。【０１４３】
尚、オポジット方式においても、該光ディスクに対する記録動作完了後は、パラレル方式と同様の記録領域となるので説明を省略する。【０１４４】
他方、図２０で示されるように、第２比較例の他の具体例では、前述した図１０で説明した第１実施例の他の具体例と概ね同様にして、実際のＬ１層のデータエリア１０２−１の最外周位置Ｒ点のセクタ番号が、Ｌ０層のデータエリア１０２−０の前述した最外周位置Ｃ点のセクタ番号より“４７１１ｈ”のセクタ番号数だけ小さくなるように、該光ディスクに対する記録動作が行なわれる。その結果、Ｌ１層のデータエリア１０２−１の最外周位置Ｒ点のセクタ番号は、“２２８Ｄ２Ａｈ”となり、半径は、５８．１１ｍｍとなる。即ち、Ｌ１層のデータエリア１０２−１の記録終了位置は、Ｌ０層のデータエリア１０２−０の記録終了位置より、半径方向で１７０μｍの幅だけ外周側に位置してしまう。【０１４５】
以下、同様にして、パラレル方式においては、例えば、一番目のコンテンツデータである記録データが、最初にＬ０層のデータエリア１０２−０の前述した記録開始位置Ａ点から前述した記録終了位置Ｅ点まで記録される。続いて、Ｌ１層のデータエリア１０２−１の前述した記録開始位置Ｂ点から記録終了位置Ｕ点（セクタ番号：“６８０Ｄ５ｈ”、半径：２９．７８ｍｍ）まで記録される（図２０中のグレー部分を参照）。即ち、Ｌ１層の記録終了位置U点のセクタ番号が、E点のセクタ番号より“４７１１ｈ”のセクタ番号数だけ小さくなるように、該光ディスクに対する記録動作が行なわれる。よって、Ｅ点とＵ点の半径位置において、２２０μｍの差が得られる。即ち、第２オフセット量（１５０μｍ）の差が得られる。しかし、例えば、三番目のコンテンツデータである記録データが、Ｌ０層の前述した記録終了位置Ｇ点まで記録される。続いて、Ｌ１層の記録終了位置Ｗ点（セクタ番号：“Ｅ７ＥＡ８ｈ”、半径：３９．９６ｍｍ）まで記録される（図２０中の斑点部分を参照）。即ち、Ｌ１層の記録終了位置Ｗ点のセクタ番号が、Ｇ点のセクタ番号より“４７１１ｈ”のセクタ番号数だけ小さくなるように、該光ディスクに対する記録動作が行なわれる。よって、Ｇ点とＷ点の半径位置の差は、４０μｍとなり、第２オフセット量（１５０μｍ）の差を確保することはできない。【０１４６】
尚、オポジット方式においても、該光ディスクに対する記録動作完了後は、パラレル方式と同様の記録領域となるので説明を省略する。【０１４７】
（情報記録媒体の第３実施例）
次に、図２１から図２３を参照して、本発明の情報記録媒体の第３実施例に係る２層型光ディスクのＬ０層及びＬ１層のトラックピッチの制御と、Ｌ０層及びＬ１層の最外周位置との関係についてより詳細に説明する。ここに、図２１は、本発明の情報記録媒体の第３実施例に係る２層型光ディスクにおいて、Ｌ０層のトラックピッチが制御されている場合の該光ディスクに対する記録動作後のＬ０層のデータエリアの最外周位置を示したグラフである。図２２は、本発明の情報記録媒体の第３実施例に係る２層型光ディスクにおいて、Ｌ１層のトラックピッチが制御されている場合の該光ディスクに対する記録動作後のＬ１層のデータエリアの最外周位置を示したグラフである。図２３は、本発明の情報記録媒体の第３実施例に係る２層型光ディスクにおいて、Ｌ０層又はＬ１層におけるトラックピッチとデータエリアの最外周位置との関係を示したグラフである。【０１４８】
本発明の情報記録媒体の第３実施例におけるデータ構造及び記録手順は、第１実施例と概ね同様である。【０１４９】
図２１及び図２２のＡｘ点、Ｂｘ点、及びＣｘ点に示されるように、本発明の情報記録媒体の第３実施例に係る光ディスクにおいては、Ｌ０層及びＬ１層のトラックピッチが制御され、Ｌ１層のデータエリア１０２−１の最外周位置は、該最外周位置と同じセクタ番号を持つＬ０層のデータエリア１０２−０の最外周位置より第１オフセット量（１５０μm）だけ内周側に位置する。従って、Ｌ１層の最外周位置において該光ディスクに対する記録動作を行う場合に、Ｌ０層において、例えば、第２オフセット量（１５０μｍ）だけリードアウト等の緩衝用エリアの記録動作を省略することが可能となる。【０１５０】
具体的には、図２１及び図２２のＡｘ点に着目すると、Ｌ０層のトラックピッチを約０．７４６５μmにした場合、Ｌ０層のデータエリア１０２−０の最外周位置が５８．１５０ｍｍとなる。他方、Ｌ１層のトラックピッチを約０．７４０μmにした場合、Ｌ１層のデータエリア１０２−１の最外周位置が５８．０００ｍｍとなる。【０１５１】
よって、Ｌ１層のデータエリア１０２−１の最外周位置は、該最外周位置と同じセクタ番号を持つＬ０層のデータエリア１０２−０の最外周位置より第１オフセット量（１５０μm＝０．１５０ｍm＝５８．１５０−５８．０００）だけ内周側に位置することが可能となる。【０１５２】
また、図２１及び図２２のＢｘ点に着目すると、Ｌ０層のトラックピッチを約０．７４００μmにした場合、Ｌ０層のデータエリア１０２−０の最外周位置が５７．９３８ｍｍとなる。他方、Ｌ１層のトラックピッチを約０．７３３５μmにした場合、Ｌ１層のデータエリア１０２−１の最外周位置が５７．７８８ｍｍとなる。【０１５３】
よって、Ｌ１層のデータエリア１０２−１の最外周位置は、該最外周位置と同じセクタ番号を持つＬ０層のデータエリア１０２−０の最外周位置より第１オフセット量（１５０μm＝０．１５０ｍm＝５７．９３８−５７．７８８）だけ内周側に位置することが可能となる。【０１５４】
また、図２１及び図２２のＣｘ点に着目すると、Ｌ０層のトラックピッチを約０．７４３３μmにした場合、Ｌ０層のデータエリア１０２−０の最外周位置が５８．０４４ｍｍとなる。他方、Ｌ１層のトラックピッチを約０．７３６７μmにした場合、Ｌ１層のデータエリア１０２−１の最外周位置が５７．８９４ｍｍとなる。【０１５５】
よって、Ｌ１層のデータエリア１０２−１の最外周位置は、該最外周位置と同じセクタ番号を持つＬ０層のデータエリア１０２−０の最外周位置より第１オフセット量（１５０μm＝０．１５０ｍm＝５８．０４４−５７．８９４）だけ内周側に位置することが可能となる。【０１５６】
このように、本発明の情報記録媒体の第３実施例によれば、前述したように、Ｌ１層の最外周位置において該光ディスクに対する記録動作を行う場合に、Ｌ０層において、例えば、第２オフセット量（１５０μｍ）だけリードアウト等の緩衝用エリアの記録動作を省略することが可能となる。【０１５７】
尚、オポジット方式においても、同様のトラックピッチの制御を行うことでデータエリア最内周位置での効果が得られるが、パラレル方式と同様の方法であるため説明を省略する。【０１５８】
更に、本願発明者による研究によれば、図２３に示されるように、Ｌ０層又はＬ１層におけるトラックピッチと、データエリアの最外周位置との関係は、一次関数ではなく、２次曲線によって示されることが判明している。【０１５９】
（情報記録媒体の第４実施例）
次に、図２４から図２７を参照して、本発明の情報記録媒体の第４実施例に係る２層型光ディスクのデータ構造、並びにセクタ番号及びＬＰＰアドレスで示された記録領域並びに該光ディスクのパラレル方式又はオポジット方式による記録手順について、その作用効果の検討を含めて、より詳細に説明する。ここに、図２４は、本発明の情報記録媒体の第４実施例に係る２層型光ディスクのデータ構造、並びにセクタ番号及びＬＰＰアドレスで示された記録領域並びに該光ディスクのパラレル方式による記録手順を示した概念図である。図２５は、本発明の情報記録媒体の第４実施例に係る２層型光ディスクのデータ構造、並びにセクタ番号及びＬＰＰアドレスで示された記録領域並びに該光ディスクのオポジット方式による記録手順を示した概念図である。図２６は、第３比較例の一具体例に係る２層型光ディスクのデータ構造、並びにセクタ番号及びＬＰＰアドレスで示された記録領域並びに該光ディスクのパラレル方式による記録手順を示した概念図である。図２７は、第３比較例の他の具体例に係る２層型光ディスクのデータ構造、並びにセクタ番号及びＬＰＰアドレスで示された記録領域並びに該光ディスクのオポジット方式による記録手順を示した概念図である。【０１６０】
本発明の情報記録媒体の第４実施例におけるデータ構造及び記録手順は、第１実施例と概ね同様である。【０１６１】
図２４で示されるように、本発明の情報記録媒体の第４実施例に係る光ディスクの一具体例によれば、パラレル方式において、Ｌ１層のデータエリア１０２−１の開始位置（セクタ番号：“３００００ｈ”、ＬＰＰアドレス：“ＦＦＣＦＦＦｈ”、半径：２４．００ｍｍ）が、Ｌ０層のデータエリア１０２−０の開始位置（セクタ番号：“３００００ｈ”、ＬＰＰアドレス：“ＦＦＣＦＦＦｈ”、半径：２３．８５ｍｍ）から、第１オフセット量（１５０μｍ）だけ外周側に位置するように光ディスクのプリフォーマットアドレスがオフセットして設定されている。つまり、Ｌ０層のＬＰＰアドレス：“ＦＦＣＦＦＦｈ”とＬ１層のＬＰＰアドレス：“ＦＦＣＦＦＦｈ”の位置が等しくなく、オフセットされていることになる。加えて、Ｌ１層において記録データが記録されるデータエリア１０２−１の最外周位置（セクタ番号：“２２Ｄ４４０ｈ”、ＬＰＰアドレス：“ＦＤＤ２ＢＢｈ”、半径：５８．００ｍｍ）が、Ｌ０層において記録データが記録されるデータエリア１０２−０の最外周位置（セクタ番号：“２３１Ｃ２０ｈ”、ＬＰＰアドレス：“ＦＤＣＥ３Ｄｈ”、半径：５８．１５ｍｍ）から、第２オフセット量（１５０μｍ）だけ内周側に位置するように光ディスクのプリフォーマットアドレスが設定されている。【０１６２】
また、図２５で示されるように、本発明の情報記録媒体の第４実施例に係る光ディスクの他の具体例によれば、オポジット方式において、Ｌ１層において記録データが記録されるデータエリア１０２−１の最内周位置（セクタ番号：“ＦＣＢ８１Ｆｈ”、ＬＰＰアドレス：“００３４７Ｅｈ”、半径：２４．００ｍｍ）が、Ｌ０層のデータエリア１０２−０の開始位置（セクタ番号：“３００００ｈ”、ＬＰＰアドレス：“ＦＦＣＦＦＦｈ”、半径：２３．８５ｍｍ）から、第１オフセット量（１５０μｍ）だけ外周側に位置するように光ディスクのプリフォーマットアドレスが設定されている。加えて、Ｌ１層のデータエリア１０２−１の開始位置（セクタ番号：“ＤＣＥ３ＤＦｈ”、ＬＰＰアドレス：“０２３１Ｃ２ｈ”、半径：５８．００ｍｍ）が、Ｌ０層において記録データが記録されるデータエリア１０２−０の最外周位置（セクタ番号：“２３１Ｃ２０ｈ”、ＬＰＰアドレス：“ＦＤＣＥ３Ｄｈ”、半径：５８．１５ｍｍ）から、第２オフセット量（１５０μｍ）だけ内周側に位置するように光ディスクのプリフォーマットアドレスがオフセットして設定されている。つまり、Ｌ０層のＬＰＰアドレス：“０２３１Ｃ２ｈ”とＬ１層のＬＰＰアドレス：“ＦＤＣＥ３Ｄｈ”の位置が等しくなく、オフセットされていることになる。【０１６３】
以上より、本発明の情報記録媒体の第４実施例によれば、ディスクに偏心があった場合でも、Ｌ１層のデータエリア１０２−１がＬ０層のデータエリア１０２−０よりも狭くなる。よって、Ｌ１層の記録開始位置から記録動作を行う場合に、Ｌ０層において、例えば、第１オフセット量だけリードインエリア等の緩衝用エリアの記録動作を省略することが可能となる。と同時に、Ｌ１層の最外周位置において記録動作を行う場合に、Ｌ０層において、例えば、第２オフセット量だけリードアウトやミドルエリア等の緩衝用エリアの記録動作を省略することが可能となる。特に、放送コンテンツを光ディスクに直接的に記録する場合等のリアルタイムの記録動作においては、リードインやリードアウトやミドルエリアを記録するための時間がないため、本発明の情報記録媒体の第４実施例のように記録動作を省略可能であることは大変有利である。【０１６４】
仮に、本発明の情報記録媒体の第４実施例のようにプリフォーマットアドレスが設定されない場合、図２６及び図２７に示されるように、Ｌ０層とＬ１層におけるデータエリアの最内周位置と最外周位置は一致してしまう。よって、パラレル方式及びオポジット方式においては、Ｌ０層のデータエリア１０２−１の開始位置（セクタ番号：“３００００ｈ”、ＬＰＰアドレス：“ＦＦＣＦＦＦｈ”、半径：２４．００ｍｍ）から内周側において、例えば、第１オフセット量（１５０μｍ）だけリードインエリア等の緩衝用エリアの記録動作が必要となってしまう。また、Ｌ０層において記録データが記録されるデータエリア１０２−０の最外周位置（セクタ番号：“２２Ｄ４４０ｈ”、ＬＰＰアドレス：“ＦＤＤ２ＢＢｈ”、半径：５８．００ｍｍ）から外周側において、例えば、第２オフセット量（１５０μｍ）だけリードアウトエリアやミドルエリア等の緩衝用エリアの記録動作が必要となってしまう。【０１６５】
これに対して、本発明の情報記録媒体の第４実施例によれば、前述したように、Ｌ１層のデータエリア１０２−１がＬ０層のデータエリア１０２−０よりも狭くなるので、リードインエリア、リードアウト、又は、ミドルエリア等の緩衝用エリアの記録動作を省略することが可能となる。【０１６６】
（情報記録装置の実施例）
次に、図２８を参照して、本発明の情報記録装置に係る実施例における情報記録再生装置３００及び、ホストコンピュータ４００の基本構成について説明する。特に、本実施例は、本発明に係る情報記録装置を光ディスク用の情報記録再生装置に適用した例である。ここに、図２８は、本発明の情報記録装置に係る実施例における情報記録再生装置及び、ホストコンピュータの基本構成を示したブロック図である。尚、情報記録再生装置３００は、光ディスク１００に記録データを記録する機能と、光ディスク１００に記録された記録データを再生する機能とを備える。【０１６７】
図２８を参照して情報記録再生装置３００の内部構成を説明する。情報記録再生装置３００は、ドライブ用のＣＰＵ（Central Processing Unit）３５４の制御下で、光ディスク１００に情報を記録すると共に、光ディスク１００に記録された情報を読み取る装置である。【０１６８】
情報記録再生装置３００は、光ディスク１００、スピンドルモータ３５１、光ピックアップ３５２、信号記録再生手段３５３、ＣＰＵ（ドライブ制御手段）３５４、メモリ３５５、データ入出力制御手段３０６、及びバス３５７を備えて構成されている。また、ホストコンピュータ４００は、ＣＰＵ３５９、メモリ３６０、操作制御手段３０７、操作ボタン３１０、表示パネル３１１、及びデータ入出力制御手段３０８を備えて構成される。【０１６９】
特に、情報記録再生装置３００と、ホストコンピュータ４００を同一筐体内に収めることにより、或いは、ＣＰＵ（ドライブ制御手段）３５４、データ入出力制御手段３０６、及びバス３５７によって、本発明に係る通信手段が構成されていてもよい。【０１７０】
スピンドルモータ３５１は光ディスク１００を回転及び停止させるもので、光ディスクへのアクセス時に動作する。より詳細には、スピンドルモータ３５１は、図示しないサーボユニット等によりスピンドルサーボを受けつつ所定速度で光ディスク１００を回転及び停止させるように構成されている。【０１７１】
光ピックアップ３５２は光ディスク１００への記録再生を行うもので、半導体レーザ装置とレンズから構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。【０１７２】
信号記録再生手段３５３は、スピンドルモータ３５１と光ピックアップ３５２を制御することで光ディスク１００に対して記録再生を行う。より具体的には、信号記録再生手段３５３は、例えば、レーザダイオード（ＬＤ）ドライバ及びヘッドアンプ等によって構成されている。レーザダイオードドライバ（ＬＤドライバ）は、光ピックアップ３５２内に設けられた図示しない半導体レーザを駆動する。ヘッドアンプは、光ピックアップ３５２の出力信号、即ち、光ビームの反射光を増幅し、該増幅した信号を出力する。より詳細には、信号記録再生手段３５３は、ＯＰＣ（Optimum Power Control）処理時には、ＣＰＵ３５４の制御下で、図示しないタイミング生成器等と共に、ＯＰＣパターンの記録及び再生処理により最適なレーザパワーの決定が行えるように、光ピックアップ３５２内に設けられた図示しない半導体レーザを駆動する。特に、信号記録再生手段３５３は、光ピックアップ３５２と共に、本発明に係る「書込手段」及び「取得手段」の一例を構成する。【０１７３】
メモリ３５５は、記録再生データのバッファ領域や、信号記録再生手段３５３で使用出来るデータに変換する時の中間バッファとして使用される領域など情報記録再生装置３００におけるデータ処理全般及びＯＰＣ処理において使用される。また、メモリ３５５はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。【０１７４】
ＣＰＵ（ドライブ制御手段）３５４は、信号記録再生手段３５３及びメモリ３５５と、バス３５７を介して接続され、各種制御手段に指示を行うことで、情報記録再生装置３００全体の制御を行う。通常、ＣＰＵ３５４が動作するためのソフトウェア又はファームウェアは、メモリ３５５に格納されている。特に、ＣＰＵ３５４は、本発明に係る「制御手段」及び「算出手段」の一例を構成する。【０１７５】
データ入出力制御手段３０６は、情報記録再生装置３００に対する外部からのデータ入出力を制御し、メモリ３５５上のデータバッファへの格納及び取り出しを行う。情報記録再生装置３００とＳＣＳＩや、ＡＴＡＰＩなどのインターフェースを介して接続されている外部のホストコンピュータ４００（以下、適宜ホストと称す）から発行されるドライブ制御命令は、データ入出力制御手段３０６を介してＣＰＵ３５４に伝達される。また、記録再生データも同様にデータ入出力制御手段３０６を介して、ホストコンピュータ４００とやり取りされる。【０１７６】
操作制御手段３０７はホストコンピュータ４００に対する動作指示受付と表示を行うもので、例えば記録又は再生といった操作ボタン３１０による指示をＣＰＵ３５９に伝える。ＣＰＵ３５９は、操作制御手段３０７からの指示情報を元に、データ入出力手段３０８を介して、情報記録再生装置３００に対して制御命令（コマンド）を送信し、情報記録再生装置３００全体を制御する。同様に、ＣＰＵ３５９は、情報記録再生装置３００に対して、動作状態をホストに送信するように要求するコマンドを送信することができる。これにより、記録中や再生中といった情報記録再生装置３００の動作状態が把握できるためＣＰＵ３５９は、操作制御手段３０７を介して蛍光管やＬＣＤなどの表示パネル３１１に情報記録再生装置３００の動作状態を出力することができる。【０１７７】
以上説明した、情報記録再生装置３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ３６０に格納されたプログラムをＣＰＵ３５９で実行させることでレコーダ機器としての動作を行っている。また、別の具体例では、情報記録再生装置３００はディスクドライブ（以下、適宜ドライブと称す）であり、ホストコンピュータ４００はパーソナルコンピュータやワークステーションである。パーソナルコンピュータ等のホストコンピュータとドライブはＳＣＳＩやＡＴＡＰＩといったデータ入出力制御手段３０６及び３０８を介して接続されており、ホストコンピュータにインストールされているライティングソフトウェア等のアプリケーションが、ディスクドライブを制御する。【０１７８】
本実施例では、情報記録媒体の一具体例として、例えば、２層型ＤＶＤ−Ｒ／ＲＷ等の追記型又は書き換え型光ディスクについて説明したが、本発明は、例えば、３層型等のマルチプルレイヤ型の光ディスクにも適用可能である。更に、ブルーレーザーを記録再生に用いるディスク等の大容量記録媒体にも適用可能である。【０１７９】
本発明は、上述した実施例に限られるものではなく、請求の範囲及び明細書全体から読み取れる発明の要旨或いは思想に反しない範囲で適宜変更可能であり、そのような変更を伴う情報記録媒体、情報記録装置及び方法もまた本発明の技術的範囲に含まれるものである。
【産業上の利用可能性】
【０１８０】
本発明に係る情報記録媒体、情報記録装置及び方法は、例えば、ＤＶＤ、ＣＤ等の高密度光ディスクに利用可能であり、更にＤＶＤレコーダ等の情報記録装置に利用可能である。
【図１】
0004603535.tif 000002
【図２】
0004603535.tif 000003
【図３】
0004603535.tif 000004
【図４】
0004603535.tif 000005
【図５】
0004603535.tif 000006
【図６】
0004603535.tif 000007
【図７】
0004603535.tif 000008
【図８】
0004603535.tif 000009
【図９】
0004603535.tif 000010
【図１０】
0004603535.tif 000011
【図１１】
0004603535.tif 000012
【図１２】
0004603535.tif 000013
【図１３】
0004603535.tif 000014
【図１４】
0004603535.tif 000015
【図１５】
0004603535.tif 000016
【図１６】
0004603535.tif 000017
【図１７】
0004603535.tif 000018
【図１８】
0004603535.tif 000019
【図１９】
0004603535.tif 000020
【図２０】
0004603535.tif 000021
【図２１】
0004603535.tif 000022
【図２２】
0004603535.tif 000023
【図２３】
0004603535.tif 000024
【図２４】
0004603535.tif 000025
【図２５】
0004603535.tif 000026
【図２６】
0004603535.tif 000027
【図２７】
0004603535.tif 000028
【図２８】
0004603535.tif 000029